(57)【要約】【課題】液晶表示装置の駆動装置の消費電力を低減する。【解決手段】ＡＰＴを採用して駆動する場合、電源回路２３は、入力される信号（ＳＨＡＲＥ）に応じてＶｒ配線２４および−Ｖｒ配線２６の接続先を切り替える。選択期間開始時には、Ｖｒ配線２４とＶｒ用コンデンサ３２とを接続し、Ｖｒ用コンデンサ３２から走査電極に電荷を供給する。その後Ｖｒ配線２４と電圧Ｖｒの出力端２７とを接続し、選択行の電位をＶｒにする。選択期間終了時に、再びＶｒ配線２４とＶｒ用コンデンサ３２とを接続し、選択行から移動する電荷をＶｒ用コンデンサ３２に蓄積する。【選択図】　図２
2004061972.tif 000002
【特許請求の範囲】
【請求項１】
複数の走査電極と複数の信号電極との間に液晶を挟持する液晶表示装置の駆動方法であって、
走査電極を選択しながら走査電極を走査し、
走査電極を選択する各選択期間毎に、選択期間中の最初の一定期間の間、選択した走査電極を所定のコンデンサに接続し、
前記一定期間経過後に前記走査電極の電位を選択時電位に設定し、
選択期間中の最後の一定期間の間、前記走査電極を前記コンデンサに接続し、
次の選択期間の開始時に前記走査電極の電位を非選択時電位に設定する
ことを特徴とする液晶表示装置の駆動方法。
【請求項２】
走査電極を一本ずつ選択し、
選択した走査電極を第一の選択時電位または第二の選択時電位に設定し、
選択した走査電極を第一の選択時電位に設定する場合には、選択期間中の最初の一定期間の間および選択期間中の最後の一定期間の間、選択した走査電極を第一の選択時電位に対応するコンデンサに接続し、
選択した走査電極を第二の選択時電位に設定する場合には、選択期間中の最初の一定期間の間および選択期間中の最後の一定期間の間、選択した走査電極を第二の選択時電位に対応するコンデンサに接続する
請求項１に記載の液晶表示装置の駆動方法。
【請求項３】
走査電極を一本ずつ選択し、
選択した走査電極を第一の選択時電位または第二の選択時電位に設定し、
選択した走査電極を第一の選択時電位に設定する場合には、他の走査電極を第一の非選択時電位に設定し、選択した走査電極を第二の選択時電位に設定する場合には、他の走査電極を第二の非選択時電位に設定し、
選択した走査電極を第一の選択時電位に設定する場合に、選択期間中の最初の一定期間の間および選択期間中の最後の一定期間の間、選択した走査電極を所定のコンデンサに接続し、
選択した走査電極を第二の選択時電位に設定する場合にも、選択期間中の最初の一定期間の間および選択期間中の最後の一定期間の間、選択した走査電極を前記コンデンサに接続する
請求項１に記載の液晶表示装置の駆動方法。
【請求項４】
同時に複数本の走査電極を選択し、
選択した各走査電極をそれぞれ第一の選択時電位と第二の選択時電位のいずれか一方の電位に設定し、
同時に複数の走査電極を選択する選択期間中の最初の一定期間の間、第一の選択時電位に設定すべき走査電極を第一の選択時電位に対応するコンデンサに接続し、第二の選択時電位に設定すべき走査電極を第二の選択時電位に対応するコンデンサに接続し、
選択期間中の最後の一定期間の間、第一の選択時電位に設定した走査電極を第一の選択時電位に対応するコンデンサに接続し、第二の選択時電位に設定した走査電極を第二の選択時電位に対応するコンデンサに接続する
請求項１に記載の液晶表示装置の駆動方法。
【請求項５】
選択した一本の走査電極または同時に複数本を選択した場合におけるそれぞれの走査電極を選択期間の最初の一定期間中にコンデンサに接続する回数を一回とし、
選択した一本の走査電極または同時に複数本を選択した場合におけるそれぞれの走査電極を選択期間の最後の一定期間中にコンデンサに接続する回数を一回とする
請求項１、２、３または４に記載の液晶表示装置の駆動方法。
【請求項６】
選択期間の最初の一定期間中に、選択した走査電極を複数のコンデンサに順番に接続し、
選択期間の最後の一定期間中に、選択した走査電極を前記複数のコンデンサに前記順番とは逆の順番に接続する
請求項１、２、３または４に記載の液晶表示装置の駆動方法。
【発明の詳細な説明】
【０００１】
【発明の属する技術分野】
本発明は、液晶表示装置の駆動方法に関し、特に消費電力を低減する液晶表示装置の駆動方法に関する。
【０００２】
【従来の技術】
液晶表示装置は、マンマシンインタフェース用の表示装置として広く利用されている。例えば、軽量で薄型の表示装置を実現できるという特徴を活かして、ＰＤＡ（Ｐｅｒｓｏｎａｌ　Ｄｉｇｉｔａｌ　Ａｓｓｉｓｔａｎｔｓ　）や携帯電話機等の表示装置として広く利用されている。
【０００３】
複数の走査電極と、走査電極に直交するように配置される複数の信号電極との間に液晶を挟持する液晶表示装置の駆動方法として、走査電極を一つずつ選択して選択した走査電極に所定の電圧を印加する線順次駆動法がある。線順次駆動法には、非選択行の走査電極の電位を一定にするＡＰＴ（Ａｌｔｏ　Ｐｌｅｓｈｋｏ　Ｔｅｃｈｎｉｑｕｅ）や、一定周期で非選択行の走査電極の電位を変化させるＩＡＰＴ（Ｉｍｐｒｏｖｅｄ　ＡＰＴ）等がある。また、線順次駆動法の他に、複数の走査電極を同時に選択する複数ライン同時選択法（マルチラインアドレッシング法：ＭＬＡ法）もある。
【０００４】
図１７は、ＡＰＴによって液晶表示装置を駆動する場合の駆動波形を示す。図１７（ａ）〜（ｃ）は、それぞれ第Ｌ−１行、第Ｌ行、第Ｌ＋１行の走査電極の電位の変化を示す。図１７（ｄ）は、一本の信号電極の電位の変化の例を示す。ＡＰＴでは時間の経過に伴い、各走査電極を順次選択していく。そして、選択した走査電極に対して、所定の電圧Ｖｒ１を供給する電源回路（以下、Ｖｒ１電源回路と記す。）から電荷を供給し、電位をＶｒ１に設定する。また、他の走査電極に対して、Ｖｒ１とは異なる所定の電圧ＶＭを供給する電源回路（以下、ＶＭ電源回路と記す。）から電荷を供給し、電位をＶＭに設定する。
【０００５】
また、各信号電極の電位は、選択行の画素の表示データに応じて設定される。点灯させるべき画素が存在する信号電極の電位はＶｃ１に設定され、その画素には選択時にＶｒ１−Ｖｃ１の電圧が印加される。点灯させるべき画素が存在しない信号電極の電位はＶｃ２に設定され、その画素には選択時にＶｒ１−Ｖｃ２の電圧が印加される。この結果、選択行に所望の画像が表示される。ただし、電位Ｖｃ１，Ｖｃ２は、（Ｖｃ１＋Ｖｃ２）／２＝ＶＭ、かつ、Ｖｃ１＜ＶＭ＜Ｖｃ２＜Ｖｒ１を満足するように定められる。
【０００６】
また、選択した走査電極の電位と信号電極の電位との高低関係を一定周期毎に逆転させることが多い。選択した走査電極の電位が信号電極の電位より高くなるように駆動することを正極性駆動という。また、選択した走査電極の電位が信号電極の電位より低くなるように駆動することを負極性駆動という。正極性駆動から負極性駆動に切り替えた場合、選択した走査電極に対して、電圧Ｖｒ２を供給する電源回路（以下、Ｖｒ２電源回路と記す。）から電荷を供給し、電位をＶｒ２に設定する。ただし、電位Ｖｒ１，Ｖｒ２は、（Ｖｒ１＋Ｖｒ２）／２＝ＶＭとなるように定める。例えば、Ｖｒ２＝−Ｖｒ１、ＶＭ＝０Ｖとする。
【０００７】
負極性駆動の場合、点灯させるべき画素が存在する信号電極の電位はＶｃ２に設定され、その画素には選択時にＶｒ２−Ｖｃ２の電圧が印加される。点灯させるべき画素が存在しない信号電極の電位はＶｃ１に設定され、その画素には選択時にＶｒ２−Ｖｃ１の電圧が印加される。
【０００８】
図１７に示す期間Ｔｒは、各走査電極の選択期間を示す。正極性の場合、第Ｌ−１行の選択期間では、第Ｌ−１行の走査電極の電位をＶｒ１に設定し、他の走査電極の電位をＶＭに設定する。また、個々の走査電極は、対向する各信号電極とともにコンデンサを形成する。一本の走査電極と各信号電極とがなすコンデンサの静電容量をＣｒとすると、第Ｌ−１行の選択期間では、第Ｌ−１行の走査電極と各信号電極との間の液晶層にＶｒ１・Ｃｒの電荷が蓄えられる。なお、この電荷量は、各信号電極の電位の設定により変動しうる。ここでは、電位Ｖｃ１の信号電極数と電位Ｖｃ２の信号電極数とが同数であり、各信号電極の平均電位がＶＭ（０Ｖ）になるものとして説明する。第Ｌ−１行の選択期間が終了し、第Ｌ行の選択期間が開始すると、第Ｌ−１行の走査電極の電位は、ＶＭ電源回路によってＶＭに設定される。このとき、第Ｌ−１行の走査電極と各信号電極との間の液晶層は、ＶＭ電源回路に（Ｖｒ１−ＶＭ）・Ｃｒの電荷を放電する。一方、第Ｌ行の走査電極と各信号電極との間の液晶層はＶｒ１電源回路によって充電され、蓄積する電荷は（Ｖｒ１−ＶＭ）・Ｃｒだけ増加する。そして、第Ｌ行の走査電極の電位はＶＭからＶｒ１に変化する。選択行を第Ｌ行から第Ｌ＋１行に切り替える場合の電荷の変化も同様である。このように、各走査電極を選択しながら選択した走査電極の電位をＶｒ１とし、他の走査電極の電位をＶＭとしていく。ここでは正極性駆動を例に説明したが、負極性駆動であっても同様である。
【０００９】
なお、ＩＡＰＴでは、正極性駆動と負極性駆動とで、非選択行の走査電極の電位を変化させる。また、ＭＬＡでは、複数本の走査電極を同時に選択し、選択した各走査電極の電位をそれぞれ所定の電位に設定する。例えば、四本の走査電極を同時に選択し、各走査電極の電位を設定する。続いて、別の四本の走査電極を同時に選択し、それぞれの電位を設定していく。
【００１０】
図１７に示すような従来のＡＰＴでは、選択行を切り替えるときに、それまで選択していた走査電極と各走査電極との間の液晶層は（Ｖｒ１−ＶＭ）・Ｃｒの電荷をＶＭ電源回路に放電する。走査電極から放電された電荷は何ら利用されない。このことは、ＩＡＰＴやＭＬＡの場合でも同様である。
【００１１】
そこで、走査電極から放電される電荷を有効に利用して消費電力を低減する容量性表示装置の駆動方法やＬＣＤドライバが提案されている。例えば、特開２００１−３１２２５７公報には、走査電極を、前回の充電時に充電した電圧と逆極性の電圧で充電するように駆動するときには、一旦、中間の電位に充放電する駆動方法が記載されている。特開２００２−９１３８７公報には、ＭＬＡを採用するＬＣＤドライバであって、選択する走査電極のブロック（サブグループ）を切り替えるときに、選択しているブロックとこれから選択するブロックの対応する走査電極同士を短絡させるＬＣＤドライバが記載されている。
【００１２】
【発明が解決しようとする課題】
しかし、特開２００１−３１２２５７公報に記載の駆動方法では、前回の充電時に充電した電圧と逆極性の電圧で走査電極を充電する場合にしか、走査電極から放電される電荷を再利用することができない。そのため、走査電極を、前回の充電時と逆極性の電圧で充電する頻度が少ない場合には、消費電力の低減効果が少ないという問題がある。例えば、図１７に示す場合において、正極性駆動を行っている期間では選択行の電位をＶｒ１からＶＭにし、次の選択行の電位をＶＭからＶｒ１にするときに電荷を再利用することはできない。
【００１３】
また、特開２００２−９１３８７公報に記載のＬＣＤドライバでは、選択されたブロックに応じた電位に各信号電極が設定されているときに、選択されたブロックと次に選択されるブロックの走査電極同士を短絡させる。そのため、次に選択されるブロックの走査電極は、本来設定されるべき非選択時電位以外の電位となり、表示品位が低下するという問題がある。
【００１４】
また、選択されたブロックと次のブロックの対応する走査電極同士を短絡させると、かえって消費電力が大きくなってしまうこともある。例えば、選択中のブロックの第一行走査電極が電位Ｖｒに設定されているとする。この時点で、次に選択すべきブロックの第一行走査電極の電位は０Ｖである。そして、第一番目の走査電極同士を短絡させると各走査電極の電位はＶｒ／２となる。次のブロックの選択時に、そのブロックの第一行走査電極の電位を−Ｖｒに設定すべき場合には、Ｖｒ／２から−Ｖｒに充電しなければならず、０Ｖから−Ｖｒに充電するときよりもかえって消費電力が大きくなってしまう。
【００１５】
そこで本発明は、表示品位を低下させずに電荷の再利用効率を高め、消費電力をより低減できるようにすることを目的とする。
【００１６】
【課題を解決するための手段】
本発明の態様１は、複数の走査電極と複数の信号電極との間に液晶を挟持する液晶表示装置の駆動方法であって、走査電極を選択しながら走査電極を走査し、走査電極を選択する各選択期間毎に、選択期間中の最初の一定期間の間、選択した走査電極を所定のコンデンサに接続し、その一定期間経過後に走査電極の電位を選択時電位に設定し、選択期間中の最後の一定期間の間、その走査電極をコンデンサに接続し、次の選択期間の開始時にその走査電極の電位を非選択時電位に設定することを特徴とする液晶表示装置の駆動方法を提供する。
【００１７】
本発明の態様２は、走査電極を一本ずつ選択し、選択した走査電極を第一の選択時電位または第二の選択時電位に設定し、選択した走査電極を第一の選択時電位に設定する場合には、選択期間中の最初の一定期間の間および選択期間中の最後の一定期間の間、選択した走査電極を第一の選択時電位に対応するコンデンサに接続し、選択した走査電極を第二の選択時電位に設定する場合には、選択期間中の最初の一定期間の間および選択期間中の最後の一定期間の間、選択した走査電極を第二の選択時電位に対応するコンデンサに接続する液晶表示装置の駆動方法を提供する。
【００１８】
本発明の態様３は、走査電極を一本ずつ選択し、選択した走査電極を第一の選択時電位または第二の選択時電位に設定し、選択した走査電極を第一の選択時電位に設定する場合には、他の走査電極を第一の非選択時電位に設定し、選択した走査電極を第二の選択時電位に設定する場合には、他の走査電極を第二の非選択時電位に設定し、選択した走査電極を第一の選択時電位に設定する場合に、選択期間中の最初の一定期間の間および選択期間中の最後の一定期間の間、選択した走査電極を所定のコンデンサに接続し、選択した走査電極を第二の選択時電位に設定する場合にも、選択期間中の最初の一定期間の間および選択期間中の最後の一定期間の間、選択した走査電極をそのコンデンサに接続する液晶表示装置の駆動方法を提供する。
【００１９】
本発明の態様４は、同時に複数本の走査電極を選択し、選択した各走査電極をそれぞれ第一の選択時電位と第二の選択時電位のいずれか一方の電位に設定し、同時に複数の走査電極を選択する選択期間中の最初の一定期間の間、第一の選択時電位に設定すべき走査電極を第一の選択時電位に対応するコンデンサに接続し、第二の選択時電位に設定すべき走査電極を第二の選択時電位に対応するコンデンサに接続し、選択期間中の最後の一定期間の間、第一の選択時電位に設定した走査電極を第一の選択時電位に対応するコンデンサに接続し、第二の選択時電位に設定した走査電極を第二の選択時電位に対応するコンデンサに接続する液晶表示装置の駆動方法を提供する。
【００２０】
本発明の態様５は、選択した一本の走査電極または同時に複数本を選択した場合におけるそれぞれの走査電極を選択期間の最初の一定期間中にコンデンサに接続する回数を一回とし、選択した一本の走査電極または同時に複数本を選択した場合におけるそれぞれの走査電極を選択期間の最後の一定期間中にコンデンサに接続する回数を一回とする液晶表示装置の駆動方法を提供する。
【００２１】
本発明の態様６は、選択期間の最初の一定期間中に、選択した走査電極を複数のコンデンサに順番に接続し、選択期間の最後の一定期間中に、選択した走査電極を複数のコンデンサに先の順番とは逆の順番に接続する液晶表示装置の駆動方法を提供する。
【００２２】
【発明の実施の形態】
以下、本発明の実施の形態を図面を参照して説明する。
［実施の形態１］第一の実施の形態について説明する。第一の実施の形態では、ＡＰＴまたはＭＬＡを採用する。まず、ＡＰＴを採用する場合について説明する。図１は、ＡＰＴを採用する場合の液晶表示装置の駆動装置の例を示すブロック図である。液晶セル１は、複数の走査電極と複数の信号電極との間に液晶を備える。各走査電極と各信号電極は互いに直交するように配置される。
【００２３】
走査電極ドライバ２および信号電極ドライバ３は、それぞれ複数の電圧出力端子を有する。液晶セル１の個々の走査電極は、走査電極ドライバ２の個々の電圧出力端子と一対一に接続される。液晶セル１の個々の信号電極は、信号電極ドライバ３の個々の電圧出力端子と一対一に接続される。
【００２４】
走査電極ドライバ２は、走査電極を選択しながら全ての走査電極を走査するように液晶セル１を駆動する。ＡＰＴを採用する場合、選択した一本の走査電極を所定の電位に設定し、非選択行の走査電極の電位をＶＭ（非選択時電位）に設定する。ここでは、ＶＭ＝０Ｖであり、正極性駆動時において選択する走査電極を電位Ｖｒ（第一の選択時電位）に設定し、負極性駆動時において選択する走査電極を電位−Ｖｒ（第二の選択時電位）に設定する場合を例に説明する。
【００２５】
信号電極ドライバ３は、一本の走査電極の選択期間中、各信号電極の電位を、選択行の画素の表示データに応じた電位に設定する。正極性駆動時において信号電極ドライバ３は、選択行の画素のうち点灯させるべき画素が存在する信号電極の電位を−Ｖｃに設定し、点灯させるべき画素が存在しない信号電極の電位をＶｃに設定する。負極性駆動時において信号電極ドライバ３は、選択行の画素のうち点灯させるべき画素が存在する信号電極の電位をＶｃに設定し、点灯させるべき画素が存在しない信号電極の電位を−Ｖｃに設定する。ただし、−Ｖｒ＜−Ｖｃ＜ＶＭ＜Ｖｃ＜Ｖｒを満足しているものとする。
【００２６】
電源回路２３は、走査電極ドライバ２に、電圧Ｖｒ，ＶＭ（０Ｖ），−Ｖｒを供給する。Ｖｒ配線２４、ＶＭ配線２５および−Ｖｒ配線２６は、それぞれ電圧Ｖｒ，ＶＭ，−Ｖｒを走査電極ドライバ２に供給するための配線である。また、電源回路２３は、信号電極ドライバ３に電圧Ｖｃ，−Ｖｃを供給する。なお、図１では、信号電極ドライバ３に電圧を供給するための配線を一本に簡略化して示した。図２は電源回路２３の例を示す説明図である。電源回路２３は、電圧Ｖｒの出力端２７と、電圧ＶＭの出力端２８と、電圧−Ｖｒの出力端２９とを備える。また、電圧Ｖｃ，−Ｖｃの出力端も備えるが、図２では図示を省略した。
【００２７】
各電圧の出力端２７，２８，２９には、それぞれ出力電圧を安定させるためのコンデンサ２７ａ，２８ａ，２９ａが設けられる。また、電源回路２３は、電圧Ｖｒの出力端２７に対応するＶｒ用コンデンサ（第一の選択時電位に対応するコンデンサ）３２とＶｒ用スイッチ３０とを備える。同様に、電圧−Ｖｒの出力端２９に対応する−Ｖｒ用コンデンサ（第二の選択時電位に対応するコンデンサ）３３と−Ｖｒ用スイッチ３１とを備える。
【００２８】
電源回路２３には、Ｖｒ用スイッチ３０および−Ｖｒ用スイッチ３１の切り替えを制御する信号（以下、ＳＨＡＲＥと記す。）がコントローラ２２から入力される。Ｖｒ用スイッチ３０は、ＳＨＡＲＥに応じてＶｒ配線２４の接続先を電圧Ｖｒの出力端２７またはＶｒ用コンデンサ３２に切り替える。同様に、−Ｖｒ用スイッチ３１は、ＳＨＡＲＥに応じて−Ｖｒ配線２６の接続先を電圧−Ｖｒの出力端２９または−Ｖｒ用コンデンサ３３に切り替える。ここでは、ＳＨＡＲＥがハイレベルのときに、Ｖｒ用配線２４と−Ｖｒ用配線２６の接続先をそれぞれＶｒ用コンデンサ３２、−Ｖｒ用コンデンサ３３に切り替える場合を例に説明する。この場合、ＳＨＡＲＥがローレベルになると、Ｖｒ用配線２４と−Ｖｒ用配線２６の接続先をそれぞれＶｒの出力端２７、−Ｖｒの出力端２９に切り替える。なお、ＶＭ配線２５は、電圧ＶＭの出力端２８に接続される。
【００２９】
Ｖｒ用コンデンサ３２および−Ｖｒ用コンデンサ３３の静電容量（Ｃ０とする。）は、一本の走査電極と各信号電極とが形成するコンデンサの静電容量Ｃｒの１０倍以上であることが好ましい。さらに好ましくは１００倍以上とする。Ｃ０がＣｒよりも十分大きいならば、時間が経過すると、Ｖｒ用コンデンサ３２のスイッチ側電極はほぼ一定の電位（Ｖｒ／２）に収束する。同様に、−Ｖｒ用コンデンサ３３のスイッチ側電極もほぼ一定の電位（−Ｖｒ／２）に収束する。電位の収束値がＶｒ／２等になる理由については後述する。また、Ｃ０がＣｒよりも十分大きいと、Ｖｒ用スイッチ３０や−Ｖｒ用スイッチ３１によってＶｒ用配線２４や−Ｖｒ用配線２６の接続先が切り替えられても、収束した電位はほとんど変化しない。以下の説明では、Ｖｒ用コンデンサ３２と−Ｖｒ用コンデンサ３３のスイッチ側電極がそれぞれＶｒ／２、−Ｖｒ／２であるものとして説明する。
【００３０】
メモリ２１は、各走査電極に対応する表示データを記憶する記憶領域と、コントローラ２２の制御に従って一行分の表示データ（Ｄａｔａ）を信号電極ドライバ３に出力する出力部（図示せず。）とを備える。コントローラ２２は、メモリ２１が出力すべき一行分のデータのアドレスを指定するメモリ制御信号をメモリ２１に出力する。メモリ２１が備える出力部は、メモリ制御信号によって指定されるアドレスに記憶する表示データを信号電極ドライバ３への出力データ領域にコピーする。また、コントローラ２２は、選択する走査電極の切り換えを示すラッチパルスであるＣＬ（クロック信号）と、正極性駆動にすべきか負極性駆動にすべきかを指示する信号（以下、ＦＲと記す。）を信号電極ドライバ３に出力する。信号電極ドライバ３は、メモリ２１の出力データ領域にコピーされた一行分の表示データをＣＬの入力タイミングに合わせて読み込む。そして、次のＣＬの入力時に、その表示データとＦＲとに応じて各信号電極の電位を設定する。
【００３１】
コントローラ２２は、走査電極ドライバ２に、ＣＬと、ＦＲと、１フレームの開始を示すＦＬＭ（ファーストラインマーカ）とを出力する。さらに、コントローラ２２は、電源回路２３にＳＨＡＲＥを出力する。コントローラ２２は、各選択期間における最初の所定期間の間、ＳＨＡＲＥをハイレベルにする。また、コントローラ２２は、各選択期間における最後の所定期間の間も、ＳＨＡＲＥをハイレベルにする。以下、各選択期間の最初と最後にＳＨＡＲＥをハイレベルにする期間をＴｓと記す。
【００３２】
走査電極ドライバ２および信号電極ドライバ３は、ある選択期間の開始時（ＣＬが入力された時）におけるＦＲに基づいて、その選択期間において正極性駆動にするのか負極性駆動にするのかを判断する。従って、コントローラ２２は、ＣＬを出力して新たな選択期間を開始するときに、その選択期間に応じたＦＲの出力を開始してからＣＬを出力する。なお、ＦＲの切り替え周期（正極性駆動と負極性駆動の切り替え周期）は、選択期間以上である。
【００３３】
図３は、走査電極ドライバ２の構成例を示す説明図である。走査電極ドライバ２は、Ｖｒ配線２４に接続され電圧Ｖｒが供給される第一の配線１４と、ＶＭ配線２５に接続され電圧ＶＭが供給される第二の配線１５と、−Ｖｒ配線２６に接続され電圧−Ｖｒが供給される第三の配線１６とを備える。各走査電極は第一の配線１４から第三の配線１６のいずれかに接続される。走査電極が接続される配線が切り替えられると、その走査電極の電位も切り替えられる。接続の切り替えは、各走査電極と一対一に対応するスイッチ１１〜１３等によって行う。スイッチ１１〜１３は、それぞれ第一行から第三行の走査電極に接続される。図３では、第一行から第三行に対応するスイッチを示すが、走査電極ドライバ２は各行に対応するスイッチを備える。
【００３４】
走査電極ドライバ２は、正極性駆動と負極性駆動のいずれの場合であっても、非選択行に対応するスイッチによって、非選択行の走査電極を第二の配線１５に接続し、その走査電極の電位をＶＭに設定する。走査電極ドライバ２は、正極性駆動の場合、選択行に対応するスイッチによって、選択行の走査電極を第一の配線１４に接続する。また、負極性駆動の場合、選択行に対応するスイッチによって、選択行の走査電極を第三の配線１６に接続する。
【００３５】
走査電極ドライバ２は、ＣＬの入力回数をカウントするカウンタ（図示せず。）を備え、ＣＬが入力される度にカウンタ値を１増加させる。走査電極ドライバ２は、カウンタ値に基づいて選択すべき走査電極を判断する。なお、カウンタは、ＦＬＭが入力されたときにカウンタ値を初期化する。走査電極ドライバ２は、ＦＬＭが入力されると初期化後のカウンタ値に基づいて第一行から選択していく。コントローラ２２がＦＬＭやＣＬを出力するタイミングは、１フレーム毎に各走査電極が１回ずつ選択されるように定められる。また、既に述べたように、走査電極ドライバ２は、選択期間開始時におけるＦＲに基づいて正極性駆動か負極性駆動かを判断する。走査電極ドライバ２は、選択すべき走査電極や正極性駆動か負極性駆動かを判断し、スイッチにより各走査電極をいずれかの配線に接続する。
【００３６】
図４は、駆動時にコントローラ２２が信号を出力するタイミングと、その信号に応じた駆動波形の例を示す説明図である。ここでは、コントローラ２２が正極性駆動を指示するときにＦＲをハイレベルにし、負極性駆動を指示するときにＦＲをローレベルにする場合を例に説明する。また、コントローラ２２が１フレーム毎にＦＲのレベルを切り替える場合を例に説明する。走査電極ドライバ２は、ＦＬＭが入力されると、ＦＬＭに続いて入力されるＣＬに応じて選択する走査電極を順次切り替える。ＣＬが入力されてから、次のＣＬが入力されるまでの期間Ｔｒが、一つの走査電極の選択期間である。
【００３７】
走査電極ドライバ２は、ＦＬＭに続いて最初にＣＬが入力されると、第一行の走査電極を選択する。また、ＣＬ入力時におけるＦＲがハイレベルであるならば、正極性駆動を行うと判断する。従って、走査電極ドライバ２は、次にＣＬが入力されるまで、スイッチ１１によって第一行の走査電極を第一の配線１４に接続し、他の各スイッチによって非選択行の走査電極を第二の配線１５に接続する。このとき、非選択行の走査電極は第二の配線１５およびＶＭ配線２５を介して電圧ＶＭの出力端２８に接続され、その走査電極の電位はＶＭに設定される。
【００３８】
信号電極ドライバ３は、選択期間中、第一行の表示データに応じて各信号電極の電位をＶｃまたは−Ｖｃに設定する。ここでは、電位Ｖｃの信号電極の本数と電位−Ｖｃの信号電極の本数とが等しく、各信号電極の平均電位が一定になるものとする。
【００３９】
コントローラ２２は、ＣＬを出力してから所定期間Ｔｓの間、ＳＨＡＲＥをハイレベルにする。すると、電源回路２３のＶｒ用スイッチ３０はＶｒ配線２４とＶｒ用コンデンサ３２とを接続する。従って、第一行の走査電極は第一の配線１４およびＶｒ配線２４を介してＶｒ用コンデンサ３２に接続される。その結果、第一行の走査電極は、Ｖｒ用コンデンサ３２のスイッチ側電極と等電位（Ｖｒ／２）となる。Ｖｒ用コンデンサ３２の静電容量Ｃ０はＣｒに比べ十分に大きいので、走査電極に電荷を供給してもＶｒ用コンデンサ３２のスイッチ側電極の電位はほとんど変化しない。
【００４０】
所定期間Ｔｓの長さは、少なくとも一本の走査電極の時定数（各走査電極の抵抗ＲとＣｒとの積）の１／２以上に設定する。このようにＴｓを定めることによって、電荷がＶｒ用コンデンサ３２と走査電極との間を移動する時間を確保することができる。
【００４１】
なお、ＳＨＡＲＥがハイレベルの間、−Ｖｒ用スイッチ３１は−Ｖｒ配線２６と−Ｖｒ用コンデンサ３３とを接続する。しかし、走査電極ドライバ２は正極性駆動時に走査電極を第三の配線１６に接続しない。そのため、正極性駆動時には、−Ｖｒ用コンデンサ３３は、各走査電極の電位に影響を及ぼさない。
【００４２】
コントローラ２２は、選択期間の開始から所定期間Ｔｓが経過すると、ＳＨＡＲＥをローレベルにする。すると、電源回路２３のＶｒ用スイッチ３０はＶｒ配線２４と電圧Ｖｒの出力端２７とを接続する。従って、第一行の走査電極は第一の配線１４およびＶｒ配線２４を介して電圧Ｖｒの出力端２７に接続され、第一行の走査電極の電位はＶｒになる。
【００４３】
コントローラ２２は、選択期間における最後の所定期間Ｔｓの間、再びＳＨＡＲＥをハイレベルにする。すると、電源回路２３のＶｒ用スイッチ３０はＶｒ配線２４とＶｒ用コンデンサ３２とを接続する。このとき、第一行の走査電極からＶｒ用コンデンサ３２に電荷が移動し、第一行の走査電極は、Ｖｒ用コンデンサ３２のスイッチ側電極と等電位（Ｖｒ／２）となる。Ｖｒ用コンデンサ３２の静電容量Ｃ０はＣｒに比べ十分に大きいので、走査電極から電荷が移動してもＶｒ用コンデンサ３２のスイッチ側電極の電位はほとんど変化しない。
【００４４】
コントローラ２２は、次の選択期間の開始時にＣＬを出力する。走査電極ドライバ２は、このＣＬが入力されると、第二行のスイッチによって第二行の走査電極を第一の配線１４に接続し、他の各スイッチによって他の走査電極を第二の配線１５に接続する。この結果、第一行の走査電極は、第二の配線１５およびＶＭ配線２５を介して電圧ＶＭの出力端２８に接続される。そして、第一行の走査電極の電位はＶｒ／２からＶＭに変化する。
【００４５】
また、第二行以降を選択する場合も、コントローラ２２および電源回路２３は第一行選択時と同様に動作する。この結果、各選択期間の最初の所定期間ＴｓでＶｒ用コンデンサ３２から選択行の走査電極に電荷を移動し、各選択期間の最後の所定期間Ｔｓで選択行の走査電極からＶｒ用コンデンサに電荷を移動する過程を繰り返す。各選択期間の最初の所定期間Ｔｓの間に、選択した走査電極をコンデンサ（ここではＶｒ用コンデンサ３２）に接続する回数は一回である。また、各選択期間の最後の所定期間Ｔｓの間に、選択した走査電極をコンデンサに接続する回数も一回である。
【００４６】
このような駆動方法によれば、新たに選択された走査電極は、まずＶｒ用コンデンサ３２に接続され、その走査電極の電位はＶＭからＶｒ／２に変化する。このとき電圧Ｖｒの出力端２７から電荷は供給されない。続いて、選択行の走査電極が電圧Ｖｒの出力端２７に接続されると、電源回路２３は電圧Ｖｒの出力端２７からＣｒ・Ｖｒ／２の電荷を供給し、選択行の走査電極の電位はＶｒになる。このように電位Ｖｒ／２の選択行にＣｒ・Ｖｒ／２の電荷を供給して電位をＶｒにすればよく、選択行の電位がＶＭであるときにＣｒ・Ｖｒの電荷を供給して選択行の電位をＶｒにする必要はない。従って、電圧Ｖｒの出力端２７から供給すべき電荷は半減する。
【００４７】
また、選択期間の最後に、選択行の走査電極はＶｒ用コンデンサ３２に接続され、その走査電極の電位はＶｒからＶｒ／２に変化する。このとき電圧ＶＭの出力端２８に電荷を放出することはない。この走査電極は、次の選択期間の開始時に電圧ＶＭの出力端２８に接続され、Ｃｒ・Ｖｒ／２の電荷を放出する。そして電位はＶＭに変化する。このように電位Ｖｒ／２の選択行からＣｒ・Ｖｒ／２の電荷を放出して電位をＶＭにすればよく、選択行の電位がＶｒであるときにＣｒ・Ｖｒの電荷を放出して選択行の電位をＶＭにする必要はない。従って、電圧ＶＭの出力端２８に放出する電荷は減少する。
【００４８】
ここでは、正極性駆動時を例に説明した。負極性駆動時における動作は、−Ｖｒ用コンデンサ３３と走査電極との間で電荷が移動する点以外は、正極性駆動時と同様である。すなわち、選択期間の最初の所定期間Ｔｓで、−Ｖｒ用コンデンサ３３は選択行の走査電極に電荷を供給し、選択行の電位を−Ｖｒ／２にする。その後、−Ｖｒ電圧の出力端２９から選択行の走査電極に電荷を供給し、選択行の電位を−Ｖｒにする。選択期間の最後の所定期間Ｔｓでは、選択行の走査電極から−Ｖｒ用コンデンサ３３に電荷を移動させ、選択行の電位を−Ｖｒ／２にする。選択期間が切り替わると、それまで選択していた走査電極から電圧ＶＭの出力端２８に電荷を移動させ、電位を−Ｖｒ／２からＶＭに変化させる。
【００４９】
第一の実施の形態の駆動方法によれば、選択期間Ｔｒの最後に、選択している走査電極からＶｒ用コンデンサ３２または−Ｖｒ用コンデンサ３３に電荷を移動させる。そして、次に選択する走査電極にＶｒ用コンデンサ３２または−Ｖｒ用コンデンサ３３から電荷を供給する。従って、選択行切替時に、それまで選択していた走査電極から電圧ＶＭの出力端２８に放出する電荷量や、電圧Ｖｒの出力端２７から次に選択する走査電極に供給する電荷量を減少させることができる。また、供給すべき電荷量や放出される電荷量は、正極性駆動から負極性駆動に切り替えるときだけでなく、各選択期間において少なくて済む。従って、液晶表示装置を駆動する際の消費電力を低減することができる。また、非選択行の電位はＶＭに保たれるので、非選択行の電位が変化して表示品位が低下することもない。
【００５０】
次に、Ｖｒ用コンデンサ３２および−Ｖｒ用コンデンサ３３のスイッチ側電極の電位の収束値について説明する。ここでは、正極性駆動時に用いられるＶｒ用コンデンサ３２を例に説明する。ＳＨＡＲＥがローレベルとなっている期間中におけるある時点で、Ｖｒ用コンデンサ３２のスイッチ側電極の電位がＶｇであるとする。この後、ＳＨＡＲＥがハイレベルになったときにおけるＶｒ用コンデンサ３２のスイッチ側電極の電位をＶｈとする。ＳＨＡＲＥがハイレベルの時、選択行の走査電極はＶｒ用コンデンサ３２に接続されるので、この走査電極の電位もＶｈとなる。このとき、以下の式１の関係が成立する。
【００５１】
Ｃｒ・Ｖｈ＋Ｃ０・Ｖｈ＝Ｃｒ・Ｖｒ＋Ｃ０・Ｖｇ　（式１）
【００５２】
続いて、コントローラ２２がＣＬを出力すると、それまで電位がＶＭ（＝０Ｖ）であった走査電極がＶｒ用コンデンサ３２に接続される。そして、接続された走査電極とＶｒ用コンデンサ３２のスイッチ側電極とがＶｉになったとする。このとき、以下の式２の関係が成立する。
【００５３】
Ｃｒ・Ｖｉ＋Ｃ０・Ｖｉ＝Ｃ０・Ｖｈ　（式２）
【００５４】
式１および式２からＶｈを消去してＶｉを求めると式３に示すようになる。
【００５５】
Ｖｉ＝（Ｃ０・（Ｃｒ・Ｖｒ＋Ｃ０・Ｖｇ））／（Ｃｒ＋Ｃ０）２　（式３）
【００５６】
式３を変形して以下の式４として表すことができる。
【００５７】
Ｖｉ−α＝ｋ・（Ｖｇ−α）　（式４）
【００５８】
ただし、αとｋはそれぞれ式５、式６に示すように表される。
【００５９】
α＝（Ｃ０／（Ｃｒ＋２・Ｃ０））・Ｖｒ　（式５）
【００６０】
ｋ＝（Ｃ０／（Ｃｒ＋Ｃ０））２　（式６）
【００６１】
この後、ＳＨＡＲＥがローレベルになったときにも、Ｖｒ用コンデンサ３２のスイッチ側電極の電位はＶｉのままである。従って、ＳＨＡＲＥがローレベルとなっている期間中におけるある時点から１つの選択期間が経過したときの、Ｖｒ用コンデンサ３２のスイッチ側電極の電位の変化は式４で表される。よって、ｎ個の選択期間が経過したときの電位Ｖｐは、以下の式７に示すようになる。
【００６２】
Ｖｐ＝ｋｎ−１・（Ｖｇ−α）＋α　（式７）
【００６３】
ここでｎは自然数である。十分に時間が経過したときの電位は、式７においてｎを∞とおくことによって求めることができる。式６よりｋ＜１である。従ってＶｐはαに収束する。そして、Ｃｒ＜＜Ｃ０であるので、式５よりα＝Ｖｒ／２とみなすことができる。従って、Ｖｒ用コンデンサ３２のスイッチ側電極の電位はＶｒ／２に収束する。同様に、−Ｖｒ用コンデンサ３３のスイッチ側電極の電位も−Ｖｒ／２に収束する。
【００６４】
次に、ＭＬＡを採用した場合について説明する。図５は、ＭＬＡを採用する場合の液晶表示装置の駆動装置の例を示すブロック図である。液晶セル１は、図１に示す液晶セルと同様である。走査電極ドライバ４２および信号電極ドライバ４３は、それぞれ複数の電圧出力端子を有する。液晶セル１の個々の走査電極は、走査電極ドライバ４２の個々の電圧出力端子と一対一に接続される。液晶セル１の個々の信号電極は、信号電極ドライバ４３の個々の電圧出力端子と一対一に接続される。
【００６５】
走査電極ドライバ４２は、同時に複数本の走査電極を選択する。同時に選択される走査電極のグループをサブグループ（またはブロック）という。走査電極ドライバ４２は、サブグループを切り替えながら各走査電極を選択して液晶セル１を駆動する。走査電極ドライバ４２は、サブグループ内の各走査電極の電位を定めるＬ行Ｋ列の選択行列の情報を保持する。Ｌは同時に選択する走査電極の本数である。以下、Ｌ＝４の場合を例に説明する。図６は選択行列の例を示す。選択行列の各行はサブグループの各ラインに対応する。例えば、サブグループの第一番目のラインに対して、選択行列の第一行目の要素が適用される。また、コントローラ４１は、選択行列の何列目の要素を適用すべきかを示す信号を走査電極ドライバ４２に出力する。以下、この信号を「ＲＯＷ（１：０）」と表す。例えば、ＲＯＷ（１：０）が第二列を指定する場合、サブグループの第一番目から第四番目の走査電極に対して、それぞれ第二列の要素「１」、「−１」、「１」、「−１」が適用される。以下の説明では、走査電極ドライバ４２は図６に示す選択行列の情報を保持しているものとする。
【００６６】
図６に示す選択行列において、「１」は、正極性駆動時に電位を所定の電位Ｖｒ（第一の選択時電位）に設定し、負極性駆動時に電位を−Ｖｒ（第二の選択時電位）に設定することを意味する。また、「−１」は、正極性駆動時に電位を−Ｖｒに設定し、負極性駆動時に電位をＶｒに設定することを意味する。コントローラ４１は、個々のサブグループに対して選択行列の各列を均等に指定するようにＲＯＷ（１：０）を出力する。例えば、各サブグループを１回ずつ選択して再び第一番目のサブフレームから選択をやり直すときに、指定する列を切り替える。
【００６７】
また、コントローラ４１は、正極性駆動にすべきか負極性駆動にすべきかを示す信号ＦＲと、第一番目のサブグループから選択をやり直すことを指示する信号（以下、ＰＭと記す。）と、サブグループの切り替えを指示するクロック信号ＣＬを走査電極ドライバ４２に出力する。走査電極ドライバ４２は、ＣＬが入力されると選択するサブグループを切り替える。すなわち、ＣＬが入力されてから、次のＣＬが入力されるまでの期間が、一つのサブグループの選択期間Ｔｒになる。また、走査電極ドライバ４２は、ＣＬの入力回数をカウントするカウンタを備え、ＣＬが入力される度にカウンタ値を１増加させる。ただし、ＰＭが入力された場合にはカウンタ値を初期化する。選択すべき各走査電極（サブグループ）は、カウンタ値から特定される。
【００６８】
走査電極ドライバ４２は、ある選択期間の開始時（ＣＬが入力されたとき）におけるＦＲとＲＯＷ（１：０）に基づいて、選択するサブグループ内の走査電極に設定すべき電位を決定する。従って、コントローラ４１は、ＣＬを出力して新たな選択期間を開始するときに、その選択期間に応じたＦＲおよびＲＯＷ（１：０）の出力を開始してからＣＬを出力する。なお、ＦＲの切り替え周期は、選択期間以上である。
【００６９】
また、走査電極ドライバ４２は、選択していないサブグループの走査電極を所定の電圧ＶＭ（非選択時電位）設定する。ここでは、ＶＭ＝０Ｖとする。
【００７０】
メモリ４６は、各走査電極に対応する表示データを記憶する記憶領域と、選択される複数行分の表示データ（Ｄａｔａ）をＭＬＡ演算回路４４に出力する出力部（図示せず。）とを備える。コントローラ４１は、メモリ４６が出力すべき複数行分のデータのアドレスを指定するメモリ制御信号をメモリ４６に出力する。メモリ４６が備える出力部は、メモリ制御信号によって指定されるアドレスに記憶する表示データをＭＬＡ演算回路４４への出力データ領域にコピーする。
【００７１】
ＭＬＡ演算回路４４は、予め選択行列を保持し、信号電極ドライバ４３が各信号電極に設定すべき電圧のパターンを選択行列によって計算する。コントローラ４１は、ＲＯＷ（１：０）、ＦＲおよびＣＬをＭＬＡ演算回路４４に出力する。ＭＬＡ演算回路４４は、ＣＬが入力されるタイミングで、メモリ４６の出力データ領域から複数行分の表示データを読み込み、その表示データと、ＲＯＷ（１：０）およびＦＲに基づいて、各信号電極に設定すべき電圧のパターンを計算する。ＭＬＡ演算回路４４は演算結果を信号電極ドライバ４３に出力する。信号電極ドライバ４３は、各選択期間において、この演算結果に応じて各信号電極の電位を設定する。
【００７２】
一般にＭＬＡでは、同時選択されるライン数をＬとすると、信号電極の電位レベルの数はＬ＋１になる。４行同時選択の場合、電源回路４５は、Ｖ１０〜Ｖ１４の５種類の電圧を信号電極ドライバ４３に供給する。また、電源回路４５は、Ｖｒ配線２４、ＶＭ配線２５および−Ｖｒ配線２６を介して電圧Ｖｒ，ＶＭ，−Ｖｒを走査電極ドライバ４２に出力する。電圧Ｖｒ，ＶＭ，−Ｖｒの出力端の構成は図２に示す場合と同様である。すなわち、電源回路４５は、Ｖｒ用スイッチとＶｒ用コンデンサとを電圧Ｖｒの出力端に備える。また、電圧−Ｖｒの出力端にも同様にスイッチとコンデンサを備える。以下、図２を用いて電源回路４５の動作を説明する。
【００７３】
既に説明したように、Ｖｒ用コンデンサ３２および−Ｖｒ用コンデンサ３３の静電容量Ｃ０は、Ｃｒよりも十分大きい。そして、Ｖｒ用コンデンサ３２および−Ｖｒ用コンデンサ３３のスイッチ側電極の電位はそれぞれＶｒ／２、−Ｖｒ／２に収束し、ほとんど変化しない。
【００７４】
コントローラ４１は、Ｖｒ用スイッチ３０および−Ｖｒ用スイッチ３１の切り替えを制御する信号ＳＨＡＲＥを電源回路４５に出力する。電源回路４５は、ＳＨＡＲＥに応じてＶｒ用スイッチ３０および−Ｖｒ用スイッチ３１を切り替える。コントローラ４１は、各選択期間Ｔｒの最初の所定期間Ｔｓと最後の所定期間Ｔｓの間、ＳＨＡＲＥをハイレベルにする。この結果、電源回路４５は、各選択期間において最初の所定期間Ｔｓと最後の所定期間Ｔｓの間、Ｖｒ用スイッチ３０および−Ｖｒ用スイッチ３１をそれぞれＶｒ用コンデンサ３２や−Ｖｒ用コンデンサ３３側に切り替える。
【００７５】
走査電極ドライバ４２の構成は、図３に示す構成と同様である。ただし、走査電極ドライバ４２には、ＦＲ，ＰＭ，ＣＬおよびＲＯＷ（１：０）が入力される。以下、図３を用いて走査電極ドライバ４２の動作を説明する。走査電極ドライバ４２は、ＰＭが入力されると、ＰＭに続いて入力されるＣＬに応じてサブグループを順次切り替える。また、ＰＭが入力された後、ＣＬの入力回数をカウントする。
【００７６】
走査電極ドライバ４２は、ＣＬが入力されると、非選択行の各スイッチによって非選択行の走査電極を第二の配線１５に接続する。すると、非選択行の液晶層の電荷が放電され、非選択行の走査電極電位はＶＭ（＝０Ｖ）になる。
【００７７】
また、走査電極ドライバ４２は、ＣＬ入力時におけるＦＲおよびＲＯＷ（１：０）に基づいて、同時に選択する各走査電極のスイッチを第一の配線１４または第三の配線１６に切り替える。例えば、ＦＲがハイレベル（正極性）であり、ＲＯＷ（１：０）が第二列を指定しているとする。この場合、走査電極ドライバ４２は、図６に示す選択行列の第二列の要素「１」、「−１」、「１」、「−１」に基づいて、サブグループの第一行から第四行までの各走査電極の電位をＶｒ，−Ｖｒ，Ｖｒ，−Ｖｒに設定すべきと判断する。そして、サブグループの第一行および第三行に対応するスイッチにより、第一行および第三行の走査電極を第一の配線１４に接続する。また、同様に第二行および第四行の走査電極を第三の配線１６に接続する。
【００７８】
コントローラ４１は、ＣＬを出力してから所定期間Ｔｓが経過するまでＳＨＡＲＥをハイレベルにする。このとき、電源回路４５は、Ｖｒ用スイッチ３０と−Ｖｒ用スイッチ３１をそれぞれＶｒ用コンデンサ３２、−Ｖｒ用コンデンサ３３側に切り替える。すると、Ｖｒ用コンデンサ３２は、サブグループの第一行および第三行の走査電極に電荷を供給し、その走査電極の電位をＶＭからＶｒ／２に変化させる。また、−Ｖｒ用コンデンサ３３は、第二行および第四行の走査電極に電荷を供給し、その走査電極の電位をＶＭから−Ｖｒ／２に変化させる。
【００７９】
続いて、コントローラ４１はＳＨＡＲＥをローレベルにする。このとき、電源回路４５は、Ｖｒ用スイッチ３０と−Ｖｒ用スイッチ３１をそれぞれ電圧Ｖｒの出力端２７、電圧−Ｖｒの出力端２９側に切り替える。すると、電圧Ｖｒの出力端２７は、第一行および第三行の走査電極に電荷を供給し、その走査電極の電位をＶｒ／２からＶｒに変化させる。また、電圧−Ｖｒの出力端２９は、第二行および第四行の走査電極に電荷を供給し、その走査電極の電位を−Ｖｒ／２から−Ｖｒに変化させる。
【００８０】
次に、コントローラ４１は、選択期間の最後の所定期間Ｔｓの間、再びＳＨＡＲＥをハイレベルにする。すると、サブグループの第一行および第三行の走査電極は再びＶｒ用コンデンサ３２に接続される。そして、この走査電極の電荷がＶｒ用コンデンサ３２に移動し、走査電極の電位はＶｒからＶｒ／２になる。また、第二行および第四行の走査電極は再び−Ｖｒ用コンデンサ３３に接続される。この走査電極の電荷が−Ｖｒ用コンデンサ３３に移動し、走査電極の電位は−Ｖｒから−Ｖｒ／２になる。
【００８１】
コントローラ４１がＣＬを出力すると、走査電極ドライバ４２は、それまで選択していた４本の走査電極に対応するスイッチを第二の配線１５に切り替える。すると、その４本の走査電極は電圧ＶＭの出力端２８に接続され、各走査電極の電位はＶｒ／２（または−Ｖｒ／２）からＶＭに変化する。
【００８２】
各選択期間の最初の所定期間Ｔｓの間に、選択したそれぞれの走査電極をコンデンサ（Ｖｒ用コンデンサ３２または−Ｖｒ用コンデンサ３３）に接続する回数は一回である。また、各選択期間の最後の所定期間Ｔｓの間に、選択したそれぞれの走査電極をコンデンサに接続する回数も一回である。選択されたサブグループの各走査電極が電荷を受け取ったり、放出したりする状況は、ＡＰＴの場合と変わらない。従って、ＭＬＡを採用した場合でも、電圧Ｖｒの出力端２７や電圧−Ｖｒの出力端２９から走査電極に供給すべき電荷を減少することができる。また、走査電極から電圧ＶＭの出力端２８に放出する電荷も減少することができる。その結果、消費電力が低減する。また、選択されていないサブグループの電位はＶＭ以外の電位になることがないので、表示品位も維持することができる。
【００８３】
上記の説明において、電圧Ｖｒの出力端２７が供給する電荷量や走査電極の電位等は、計算によって求めたものである。計算による確認だけではなく、実際に液晶表示装置を駆動することによって、電荷が有効に再利用されていることを確認した。以下、実施例を示す。
【００８４】
［実施例１］第一の実施の形態による駆動方法で液晶表示装置を駆動した。駆動対象の液晶表示装置として、３２０本で一組となる信号電極を三組備え、また２４０本の走査電極を備える液晶セルを作成した。各信号電極の組は、それぞれＲ（赤色）、Ｇ（緑色）およびＢ（青色）に対応するものである。液晶セルの各画素の大きさは０．１０ｍｍ×０．３０ｍｍとした。また、比誘電率が８．０の液晶を用い、セルギャップが６．０μｍとなるように液晶セルを作成した。この液晶セルにおいて、一本の走査電極と各信号電極とが形成するコンデンサの静電容量Ｃｒは０．３４ｎＦであった。
【００８５】
走査電極として、一端から他端までの抵抗が４ｋΩのＩＴＯ電極を用いた。この走査電極を用いた場合、一本の走査電極の時定数は１．４μｓ（マイクロ秒）と見積もられる。
【００８６】
電源回路には、Ｖｒ用コンデンサおよび−Ｖｒ用コンデンサとして静電容量Ｃ０が１μＦ（Ｃｒの約３０００倍）であるコンデンサを設けた。この電源回路から走査電極ドライバおよび信号電極ドライバに電圧を供給し、液晶セルを駆動した。ただし、ＡＰＴを採用し、デューティ比を１／１７６、フレーム周波数を６０Ｈｚとした。また、各選択期間において最初と最後に設ける所定期間Ｔｓ（ＳＨＡＲＥをハイレベルにする期間）を２．４μｓとした。この所定期間Ｔｓの長さは時定数の約１．７倍である。このとき電圧Ｖｒの出力端からの電流は１９８μＡであった。
【００８７】
［比較例１］ＳＨＡＲＥを常にローレベルとした点以外は実施例１と同様に液晶セルを駆動した。このとき電圧Ｖｒの出力端からの電流は３２３μＡであり、実施例１の場合よりも増加した。
【００８８】
［実施例２］電源回路に設けるＶｒ用コンデンサおよび−Ｖｒ用コンデンサの静電容量Ｃ０を変化させた。そして、静電容量Ｃ０の変化に伴う電流（電圧Ｖｒの出力端から流れる電流）の変化を確認した。液晶表示装置として、実施例１で用いた液晶セルと同じ液晶セルを使用した。また、実施例１と同様にＡＰＴを採用し、デューティ比を１／１７６、フレーム周波数を６０Ｈｚとした。
【００８９】
Ｃ０＝０．００１μＦ（Ｃｒの約３倍）とした場合、電圧Ｖｒの出力端から流れる電流は３００μＡであり、比較例に示す３２３μＡと同程度であった。Ｃ０＝０．０１μＦ（Ｃｒの約３０倍）とした場合、電圧Ｖｒの出力端から流れる電流は２３０μＡであり、比較例に示す３２３μＡより減少した。すなわち、供給すべき電荷量を減少させることができた。Ｃ０＝０．１μＦ（Ｃｒの約３００倍）とした場合、電圧Ｖｒの出力端から流れる電流は２０５μＡであり、供給すべき電荷量をさらに減少させることができた。実施例１と同様にＣ０＝１μＦ（Ｃｒの約３０００倍）とした場合、電圧Ｖｒの出力端から流れる電流は１９８μＡであり、供給すべき電荷量をさらに減少させることができた。
【００９０】
［実施例３］各選択期間において最初と最後に設ける所定期間Ｔｓ（ＳＨＡＲＥをハイレベルにする期間）を変化させた。そして、所定期間Ｔｓの変化に伴う電流（電圧Ｖｒの出力端から流れる電流）の変化を確認した。液晶表示装置として、実施例１で用いた液晶セルと同じ液晶セルを使用した。Ｖｒ用コンデンサおよび−Ｖｒ用コンデンサの静電容量Ｃ０は、実施例１と同様に１μＦとした。また、実施例１と同様にＡＰＴを採用し、デューティ比を１／１７６、フレーム周波数を６０Ｈｚとした。
【００９１】
Ｔｓ＝０．１μｓ（時定数の約０．０７倍）とした場合、電圧Ｖｒの出力端から流れる電流は３２３μＡであり、比較例に示す３２３μＡと同程度であった。Ｔｓ＝０．６μｓ（時定数の約０．４倍）とした場合、電圧Ｖｒの出力端から流れる電流は２６０μＡであり、比較例に示す３２３μＡよりも減少した。実施例１と同様にＴｓ＝２．４μｓ（時定数の約１．７倍）とした場合、電圧Ｖｒの出力端から流れる電流は１９８μＡであり、供給すべき電荷量を減少させることができた。Ｔｓ＝９．５μｓ（時定数の約６．８倍）とした場合、電圧Ｖｒの出力端から流れる電流は１９４μＡであり、Ｔｓ＝２．４μｓの場合と同程度であった。
【００９２】
なお、実施例１〜３で使用した液晶セルは３２０×２４０画素の液晶セルであるが、他の液晶セルに本発明を適用できることはいうまでもない。例えば、一般に携帯電話機に用いられる液晶表示装置の画素数および画素のサイズはともに、実施例１〜３で使用した液晶セルよりも小さい。本発明は、このような携帯電話機の液晶表示装置にも適用可能である。
【００９３】
［実施の形態２］次に、第二の実施の形態について説明する。第二の実施の形態は、ＩＡＰＴを採用する。図７は、第二の実施の形態の駆動方法が適用される液晶表示装置の駆動装置の例を示すブロック図である。第一の実施の形態における装置と同様の装置は、図１と同じ符号で示し、説明を省略する。
【００９４】
走査電極ドライバ５２および信号電極ドライバ５３は、それぞれ複数の電圧出力端子を有する。液晶セル１の個々の走査電極は、走査電極ドライバ５２の個々の電圧出力端子と一対一に接続される。液晶セル１の個々の信号電極は、信号電極ドライバ５３の個々の電圧出力端子と一対一に接続される。
【００９５】
コントローラ２２は、第一の実施の形態と同様に、走査電極ドライバ５２にＦＬＭとＦＲとＣＬとを出力し、信号電極ドライバ５３にＦＲとＣＬとを出力する。また、電源回路５１にＳＨＡＲＥを出力する。なお、ＦＲの切り替え周期（正極性駆動と負極性駆動の切り替え周期）は、選択期間以上である。
【００９６】
電源回路５１は、走査電極ドライバ５２に電圧Ｖ５，Ｖ４，Ｖ１，Ｖ０を供給する。Ｖ５配線６５、Ｖ４配線６４、Ｖ１配線６１およびＶ０配線６０は、それぞれ電源回路５１から走査電極ドライバ５２に電圧Ｖ５，Ｖ４，Ｖ１，Ｖ０を供給するための配線である。また、電源回路５１は、信号電極ドライバ５３に電圧Ｖ５，Ｖ３，Ｖ２，Ｖ０を供給する。図７では、信号電極ドライバ５３に電圧を供給するための配線を一本に簡略化して示した。電源回路５１が出力する電圧Ｖ０〜Ｖ５は、Ｖ０＜Ｖ１＜Ｖ２＜Ｖ３＜Ｖ４＜Ｖ５かつＶ５−Ｖ４＝Ｖ１−Ｖ０＝Ｖ４−Ｖ３＝Ｖ２−Ｖ１が成立するように定められる。
【００９７】
なお、電圧Ｖ５は、正極性駆動時に選択された走査電極に印加され、また、負極性駆動時に点灯させる画素が存在する信号電極に印加される電圧である。電圧Ｖ４は、負極性駆動時に選択されていない走査電極に印加される電圧である。電圧Ｖ３は、負極性駆動時に点灯させる画素が存在しない信号電極に印加される電圧である。電圧Ｖ２は、正極性駆動時に点灯させる画素が存在しない信号電極に印加される電圧である。電圧Ｖ１は、正極性駆動時に選択されていない走査電極に印加される電圧である。電圧Ｖ０は、負極性駆動時に選択された走査電極に印加され、また、正極性駆動時に点灯させる画素が存在する信号電極に印加される電圧である。電位Ｖ５，Ｖ０は、それぞれ第一の選択時電位および第二の選択時電位である。電位Ｖ１，Ｖ４は、それぞれ第一の非選択時電位および第二の非選択時電位である。
【００９８】
図８は、電源回路５１の例を示す説明図である。電源回路５１は、各電圧毎に出力端７０〜７５を備える。各電圧の出力端７０〜７５には、それぞれ出力電圧を安定させるためのコンデンサ７０ａ〜７５ａが設けられる。また、電源回路５１は、ＳＨＡＲＥ用コンデンサ７７を備える。ＳＨＡＲＥ用コンデンサ７７は、選択されていた走査電極から電荷を受け取って蓄積し、新たに選択する走査電極に電荷を供給するためのコンデンサ７７である。すなわち、第一の実施の形態におけるＶｒ用コンデンサ３２や−Ｖｒ用コンデンサ３３と同様の機能を果たす。
【００９９】
ＳＨＡＲＥ用コンデンサの静電容量Ｃ０は、一本の走査電極と各信号電極とが形成するコンデンサの静電容量Ｃｒの１０倍以上であることが好ましい。さらに好ましくは１００倍以上とする。Ｃ０がＣｒよりも十分大きいならば、時間が経過すると、ＳＨＡＲＥ用コンデンサ７７のスイッチ側電極はほぼ一定の電位に収束する。この収束値は、後述するように（Ｖ５＋Ｖ１＋Ｖ４＋Ｖ０）／４である。また、Ｃ０がＣｒよりも十分大きいと、Ｖ５用スイッチ７８やＶ０用スイッチ７９によってＶ５配線６５やＶ０配線６０の接続先が切り替えられても、収束した電位はほとんど変化しない。以下の説明では、ＳＨＡＲＥ用コンデンサ７７のスイッチ側電極の電位が（Ｖ５＋Ｖ１＋Ｖ４＋Ｖ０）／４であるものとして説明する。
【０１００】
電源回路５１は、Ｖ５配線６５に対応するＶ５用スイッチ７８と、Ｖ０配線６０に対応するＶ０用スイッチ７９とを備える。電源回路５１には、第一の実施の形態と同様に、Ｖ５用スイッチ７８およびＶ０用スイッチ７９の切り替えを制御する信号（ＳＨＡＲＥ）が入力される。そして、ＳＨＡＲＥに応じてＶ５配線６５およびＶ０配線６０の接続先を切り替える。ここでは、ＳＨＡＲＥがハイレベルのときに、Ｖ５用配線６５とＶ０用配線６０の出力先をそれぞれＳＨＡＲＥ用コンデンサ７７に切り替える場合を例に説明する。この場合、ＳＨＡＲＥがローレベルになると、Ｖ５用配線６５とＶ０用配線６０の出力先をそれぞれ電圧Ｖ５の出力端７５、電圧Ｖ０の出力端７０に切り替える。Ｖ４配線６４およびＶ１配線６１は、それぞれ電圧Ｖ４の出力端７４、電圧Ｖ１の出力端７１に接続される。
【０１０１】
また、電源回路５１は、電圧Ｖ０，Ｖ２，Ｖ３，Ｖ５の出力端７０，７２，７３，７５に接続される各配線６６，６２，６３，６７によって信号電極ドライバ５３に各電圧を供給する。
【０１０２】
走査電極ドライバ５２は、走査電極を選択しながら全ての走査電極を走査するように液晶セル１を駆動する。信号電極ドライバ５３は、一本の走査電極の選択期間中、選択行の画素の表示データに応じて各信号電極の電位を設定する。正極性駆動時において信号電極ドライバ５３は、選択行の画素のうち点灯させるべき画素が存在する信号電極の電位をＶ０に設定し、点灯させるべき画素が存在しない信号電極の電位をＶ２に設定する。負極性駆動時において信号電極ドライバ５３は、選択行の画素のうち点灯させるべき画素が存在する信号電極の電位をＶ５に設定し、点灯させるべき画素が存在しない信号電極の電位をＶ３に設定する。
【０１０３】
図９は、走査電極ドライバ５２の構成例を示す説明図である。走査電極ドライバ５２は、Ｖ５配線６５に接続され電圧Ｖ５が供給される第一の配線８５と、Ｖ４配線６４に接続され電圧Ｖ４が供給される第二の配線８６と、Ｖ１配線６１に接続され電圧Ｖ１が供給される第三の配線８７と、Ｖ０配線６０に接続され電圧Ｖ０が供給される第四の配線８８とを備える。各走査電極は第一の配線８５から第四の配線８８のいずれかに接続される。走査電極が接続される配線が切り替えられると、その走査電極の電位も切り替えられる。接続の切り替えは、各走査電極と一対一に対応するスイッチ８１〜８３等によって行う。スイッチ８１〜８３は、それぞれ第一行から第三行の走査電極に接続される。図９では、第一行から第三行に対応するスイッチを示すが、走査電極ドライバ５２は各行に対応するスイッチを備える。
【０１０４】
走査電極ドライバ５２は、正極性駆動の場合、非選択行に対応するスイッチにより非選択行の走査電極を第三の配線８７に接続し、非選択行の電位をＶ１に設定する。また、選択行に対応するスイッチにより選択行の走査電極を第一の配線８５に接続する。一方、負極性駆動の場合、走査電極ドライバ５２は、非選択行に対応するスイッチにより非選択行の走査電極を第二の配線８６に接続し、非選択行の電位をＶ４に設定する。また、選択行に対応するスイッチにより選択行の走査電極を第四の配線８８に接続する。なお、走査電極ドライバ５２は、第一の実施の形態と同様に、ＣＬの入力回数を示すカウンタに基づいて選択行を判断する。また、ＦＲに基づいて、正極性駆動とすべきか負極性駆動とすべきかを判断する。
【０１０５】
図１０は、駆動時にコントローラ２２が信号を出力するタイミングと、その信号に応じた駆動波形の例を示す説明図である。ここでは、コントローラ２２が正極性駆動を指示するときにＦＲをハイレベルにし、負極性駆動を指示するときにＦＲをローレベルにする場合を例に説明する。また、コントローラ２２が１フレーム毎にＦＲのレベルを切り替える場合を例に説明する。走査電極ドライバ２は、ＦＬＭが入力されると、ＦＬＭに続いて入力されるＣＬに応じて選択する走査電極を順次切り替える。ＣＬが入力されてから、次のＣＬが入力されるまでの期間Ｔｒが、一つの走査電極の選択期間である。
【０１０６】
正極性駆動の場合において、走査電極ドライバ５２が第一行を選択していたとする。このときＣＬが入力されると、走査電極ドライバ５２は第二行の走査電極を選択する。また、ＣＬ入力時におけるＦＲによって引き続き正極性駆動を行うと判断する。従って、走査電極ドライバ５２は、次にＣＬが入力されるまで、スイッチ８２によって第二行の走査電極を第一の配線８５に接続し、他の各スイッチによって非選択行の走査電極を第三の配線８７に接続する。このとき、非選択行の走査電極は、第三の配線８７およびＶ１配線６１を介して電圧Ｖ１の出力端７１に接続され、非選択行の走査電極の電位はＶ１に設定される。
【０１０７】
信号電極ドライバ３は、この選択期間中、第二行の表示データに応じて各信号電極の電位をＶ０またはＶ２に設定する。ここでは、電位Ｖ０の信号電極の本数と電位Ｖ２の信号電極の本数とが等しく、正極性駆動時における各信号電極の平均電位が一定になるものとする。
【０１０８】
コントローラ２２は、ＣＬを出力してから所定期間Ｔｓの間、ＳＨＡＲＥをハイレベルにする。すると、電源回路５１のＶ５用スイッチ７８はＶ５配線６５とＳＨＡＲＥ用コンデンサ７７とを接続する。従って、第二行の走査電極は第一の配線８５およびＶ５配線６５を介してＳＨＡＲＥ用コンデンサ７７に接続される。その結果、第二行の走査電極は、ＳＨＡＲＥ用コンデンサ７７のスイッチ側電極と等電位（（Ｖ５＋Ｖ１＋Ｖ４＋Ｖ０）／４）になる。ＳＨＡＲＥ用コンデンサ７７の静電容量Ｃ０はＣｒに比べ十分に大きいので、走査電極に電荷を供給してもＳＨＡＲＥ用コンデンサ７７のスイッチ側電極の電位はほとんど変化しない。
【０１０９】
所定期間Ｔｓの長さは、少なくとも一本の走査電極の時定数（各走査電極の抵抗ＲとＣｒとの積）の１／２以上に設定する。このようにＴｓを定めることによって、電荷がＳＨＡＲＥ用コンデンサ７７と走査電極との間を移動する時間を確保することができる。
【０１１０】
なお、ＳＨＡＲＥがハイレベルの間、Ｖ０用スイッチ７９もＶ０配線６０とＳＨＡＲＥ用コンデンサ７７とを接続する。しかし、走査電極ドライバ５２は正極性駆動時に走査電極を第四の配線８８に接続しない。そのため、正極性駆動時には、Ｖ０配線６０および第四の配線８８を介して走査電極に電荷を供給することはない。
【０１１１】
コントローラ２２は、選択期間の開始から所定期間Ｔｓが経過すると、ＳＨＡＲＥをローレベルにする。すると、電源回路５１のＶ５用スイッチ７８はＶ５配線６５と電圧Ｖ５の出力端７５とを接続する。従って、第二行の走査電極は第一の配線８５およびＶ５配線６５を介して電圧Ｖ５の出力端７５に接続され、第二行の走査電極の電位はＶ５になる。
【０１１２】
コントローラ２２は、選択期間における最後の所定期間Ｔｓの間、再びＳＨＡＲＥをハイレベルにする。すると、電源回路５１のＶ５用スイッチ７８はＶ５配線６５とＳＨＡＲＥ用コンデンサ７７とを接続する。このとき、第二行の走査電極からＳＨＡＲＥ用コンデンサに電荷が移動し、第二行の走査電極は、ＳＨＡＲＥ用コンデンサ７７のスイッチ側電極と等電位（（Ｖ５＋Ｖ１＋Ｖ４＋Ｖ０）／４）となる。ＳＨＡＲＥ用コンデンサ７７の静電容量Ｃ０はＣｒに比べ十分に大きいので、走査電極から電荷が移動してもＳＨＡＲＥ用コンデンサ７７のスイッチ側電極の電位はほとんど変化しない。
【０１１３】
コントローラ２２は、次の選択期間の開始時にＣＬを出力する。走査電極ドライバ２は、このＣＬが入力されると、第三行のスイッチにより第三行の走査電極を第一の配線８５に接続し、他の各スイッチにより他の走査電極を第四の配線８７に接続する。この結果、第二行の走査電極は、第四の配線８７およびＶ１配線６１を介して電圧Ｖ１の出力端７１に接続される。そして、第二行の走査電極の電位は（Ｖ５＋Ｖ０＋Ｖ４＋Ｖ１）／４からＶ１に変化する。
【０１１４】
また、他の行を選択する場合も、コントローラ２２および電源回路２３は第二行選択時と同様に動作する。この結果、各選択期間の最初の所定期間ＴｓでＳＨＡＲＥ用コンデンサ７７から選択行の走査電極に電荷を移動し、各選択期間の最後の所定期間Ｔｓで選択行の走査電極からＳＨＡＲＥ用コンデンサ７７に電荷を移動する過程を繰り返す。各選択期間の最初の所定期間Ｔｓの間に、選択した走査電極をコンデンサ（ＳＨＡＲＥ用コンデンサ７７）に接続する回数は一回である。また、各選択期間の最後の所定期間Ｔｓの間に、選択した走査電極をコンデンサに接続する回数も一回である。
【０１１５】
このような駆動方法によれば、新たに選択された走査電極は、まずＳＨＡＲＥ用コンデンサ７７に接続され、選択行の走査電極の電位はＶ１から（Ｖ５＋Ｖ１＋Ｖ４＋Ｖ０）／４に変化する。このとき電圧Ｖ５の出力端７５から電荷は供給されない。続いて、選択行の走査電極が電圧Ｖ５の出力端７５に接続されると、電源回路５１は電圧Ｖ５の出力端７５からＣｒ・（３・Ｖ５−Ｖ１−Ｖ４−Ｖ０）／４の電荷を供給し、選択行の走査電極の電位はＶ５になる。このように、選択行の電位をＶ０からＶ５まで上昇させるのではなく、（Ｖ５＋Ｖ１＋Ｖ４＋Ｖ０）／４からＶ５まで上昇させればよいので、電圧Ｖ５の出力端７５から供給すべき電荷は減少する。
【０１１６】
また、選択期間の最後に、選択行の走査電極はＳＨＡＲＥ用コンデンサ７７に接続され、選択行の走査電極の電位はＶ５から（Ｖ５＋Ｖ１＋Ｖ４＋Ｖ０）／４に変化する。このとき電圧Ｖ１の出力端に電荷を放出することはない。この走査電極は、次の選択期間の開始時に電圧Ｖ１の出力端７１に接続され、Ｃｒ・（Ｖ５−３・Ｖ１＋Ｖ４＋Ｖ０）／４の電荷を放出する。そして電位はＶ１に変化する。このように、電圧Ｖ１の出力端７１は、走査電極の電位をＶ５からＶ０に下降させるのではなく、（Ｖ５＋Ｖ１＋Ｖ４＋Ｖ０）／４からＶ１まで下降させればよい。従って、電圧Ｖ１の出力端７１に放出される電荷は減少する。
【０１１７】
ここでは、正極性駆動時を例に説明した。負極性駆動の場合であっても、電源回路５１は正極性駆動時と同様に動作する。従って、選択期間の最初の所定期間Ｔｓにおいて、選択行の走査電極はＳＨＡＲＥ用コンデンサ７７に接続される。このとき、選択された走査電極からＳＨＡＲＥ用コンデンサ７７に電荷が移動し、選択された走査電極の電位はＶ４から（Ｖ５＋Ｖ１＋Ｖ４＋Ｖ０）／４に変化する。さらに、ＳＨＡＲＥがローレベルになると、選択行の走査電極は電圧Ｖ０の出力端７０に接続される。そして、その走査電極は電荷を放出し、選択行の走査電極の電位はＶ０になる。選択行の走査電極は、選択期間の最後の所定期間Ｔｓに再びＳＨＡＲＥ用コンデンサ７７に接続され、選択行の走査電極の電位はＶ０から（Ｖ５＋Ｖ１＋Ｖ４＋Ｖ０）／４に変化する。選択期間が切り替わると、それまで選択されていた走査電極は、電圧Ｖ４の出力端７４に接続される。そして、その走査電極には電荷が供給され、その走査電極の電位はＶ４になる。
【０１１８】
また、正極性駆動と負極性駆動とを切り替えるタイミングにおいても、ＳＨＡＲＥ用コンデンサ７７の電荷を利用することができる。ここでは負極性駆動から正極性駆動に切り替えるタイミングを例に説明する。正極性駆動に切り替える直前の選択期間では、各信号電極の電位はＶ３またはＶ５に設定されている。このときの各信号電極の平均電位はＶ４になっているものとする。また、次に選択される行（第一行）の走査電極の電位はＶ４に設定されている。従って、第一行の走査電極と各信号電極との間の電位差は０Ｖとみなすことができる。次の選択期間では正極性駆動となるので、信号電極ドライバ５３は各信号電極の電位をＶ２またはＶ０に設定する。また、その選択期間において選択される第一行の走査電極は、ＳＨＡＲＥ用コンデンサ７７に接続される。その結果、第一行の走査電極の電位は、各信号電極の電位（各信号電極の平均電位はＶ１とする。）よりも高い（Ｖ５＋Ｖ１＋Ｖ４＋Ｖ０）／４になる。その後、電源回路５１は、電圧Ｖ５の出力端７５から第一行の走査電極に電荷を供給し、電圧Ｖ２，Ｖ０の出力端７２，７０に接続される配線６２，６６を介して各信号電極に電荷を供給する。すると、第一行の走査電極の電位はＶ５に上昇し、各信号電極の電位はＶ２またはＶ０（平均電位はＶ１）のまま維持される。電圧Ｖ５の出力端７５は、第一行の走査電極と各信号電極との間の電位差が０Ｖの状態から電荷を供給するのではなく、既に第一行の走査電極の電位が信号電極の電位よりも高くなった状態から電荷を供給すればよい。従って、電圧Ｖ５の出力端７５が供給すべき電荷は減少する。
【０１１９】
第二の実施の形態によれば、正極性駆動と負極性駆動とを切り替える場合だけでなく、各選択期間においてＳＨＡＲＥ用コンデンサ７７の電荷を利用することができる。従って、各選択期間において消費電力を低減できる。また、非選択行の電位はＶ１またはＶ４に保たれるので、表示品位が低下することもない。
【０１２０】
次に、ＳＨＡＲＥ用コンデンサ７７のスイッチ側電極の電位の収束値について説明する。負極性駆動に切り替えずに、正極性駆動のみによって駆動したと仮定する。この場合、ＳＨＡＲＥ用コンデンサ７７の電位（スイッチ側電極の電位）の収束値は、（Ｖ５＋Ｖ１）／２となる。この収束値は、第一の実施の形態におけるＶｒ用コンデンサの収束値を求める計算と同様の計算によって導くことができる。また、負極性駆動のみによって駆動したと仮定したときの収束値は、同様の計算によって、（Ｖ４＋Ｖ０）／２と導くことができる。
【０１２１】
ＳＨＡＲＥ用コンデンサ７７の静電容量Ｃ０が小さければ、正極性駆動と負極性駆動とを一定周期で切り替える場合に、ＳＨＡＲＥ用コンデンサ７７の電位は安定しないことになる。しかし、本発明では、Ｃ０はＣｒに比べて十分に大きくする。この場合、ＳＨＡＲＥ用コンデンサ７７のスイッチ側電極の電位は、（Ｖ５＋Ｖ１）／２と、（Ｖ４＋Ｖ０）／２との平均値に収束する。従って、正極性駆動と負極性駆動とを一定周期で切り替える場合のＳＨＡＲＥ用コンデンサ７７の電位の収束値は、（Ｖ５＋Ｖ１＋Ｖ４＋Ｖ０）／４となる。
【０１２２】
また、図８では、電源回路５１が一つのＳＨＡＲＥ用コンデンサ７７を備える場合を示した。図１１に示すように、二つのＳＨＡＲＥ用コンデンサ１７８，１７９を備え、各コンデンサをそれぞれＶ５用スイッチ７８とＶ０用スイッチ７９とに対応させてもよい。図１１に示すコンデンサ１７８は、第一の選択時電位に対応するコンデンサであり、コンデンサ１７９は、第二の選択時電位に対応するコンデンサである。
【０１２３】
なお、第二の実施の形態の説明において、電圧Ｖ５の出力端７５が供給する電荷量や走査電極の電位等は、計算によって求めたものである。
【０１２４】
［実施の形態３］次に、第三の実施の形態について説明する。第三の実施の形態では、ＡＰＴまたはＭＬＡを採用する。まず、ＡＰＴを採用する場合について説明する。ＡＰＴを採用する場合、液晶表示装置の駆動装置は図１と同様のブロック図で表される。また、走査電極ドライバの構成は図３と同様に表される。ただし、第三の実施の形態では、電源回路の構成が第一の実施の形態とは異なる。また、第三の実施の形態において、コントローラ２２は複数のビット（ここでは２ビットとする。）の信号としてＳＨＡＲＥを出力する。以下、２ビットのＳＨＡＲＥ信号を、「ＳＨＡＲＥ（１：０）」と記す。コントローラ２２は、ＳＨＡＲＥ（１：０）として、００ｂ、０１ｂまたは１０ｂのいずれかを出力する。この「ｂ」は二進数表示であることを示す符号である。
【０１２５】
図１２は、第三の実施の形態における電源回路の例を示す説明図である。図２に示す電源回路２３と同様の構成部については図２と同じ符号で示し、説明を省略する。第三の実施の形態における電源回路９１は、電圧Ｖｒの出力端２７に対応させて、第一のＶｒ用コンデンサ９２と、第二のＶｒ用コンデンサ９３とを備える。また、電圧−Ｖｒの出力端２９に対応させて、第一の−Ｖｒ用コンデンサ９４と、第二の−Ｖｒ用コンデンサ９５とを備える。Ｖｒ用コンデンサ９２，９３は、第一の選択時電位に対応するコンデンサである。−Ｖｒ用コンデンサ９４，９５は、第二の選択時電位に対応するコンデンサである。
【０１２６】
Ｖｒ用スイッチ３０と−Ｖｒ用スイッチ３１は、ＳＨＡＲＥ（１：０）に応じて、それぞれＶｒ配線２４と−Ｖｒ配線２６の接続先を切り替える。以下、ＳＨＡＲＥ（１：０）が００ｂである場合、Ｖｒ用スイッチ３０と−Ｖｒ用スイッチ３１は、配線の接続先をそれぞれ第一のＶｒ用コンデンサ９２と第一の−Ｖｒ用コンデンサ９４に切り替えるものとする。また、ＳＨＡＲＥ（１：０）が０１ｂである場合、配線の接続先をそれぞれ第二のＶｒ用コンデンサ９３と第二の−Ｖｒ用コンデンサ９５に切り替えるものとする。さらに、ＳＨＡＲＥ（１：０）が１０ｂである場合、配線の接続先をそれぞれ電圧Ｖｒの出力端２７と電圧−Ｖｒの出力端２９に切り替えるものとする。
【０１２７】
第一のＶｒ用コンデンサ９２、第二のＶｒ用コンデンサ９３、第一の−Ｖｒ用コンデンサ９４および第二の−Ｖｒ用コンデンサ９５の静電容量Ｃ０は、一本の走査電極と各信号電極とが形成するコンデンサの静電容量Ｃｒの１０倍以上であることが好ましい。さらに好ましくは１００倍以上とする。Ｃ０がＣｒより十分に大きい場合、時間が経過すると各コンデンサ９２〜９５のスイッチ側電極の電位はほぼ一定の値に収束する。後述するように、第一のＶｒ用コンデンサ９２、第二のＶｒ用コンデンサ９３、第一の−Ｖｒ用コンデンサ９４および第二の−Ｖｒ用コンデンサ９５のスイッチ側電極の電位の収束値は、それぞれＶｒ／３、（２・Ｖｒ）／３、−Ｖｒ／３および−（２・Ｖｒ）／３である。
【０１２８】
図１３は、コントローラ２２がＣＬおよびＳＨＡＲＥ（１：０）を出力するタイミングと、その信号に応じた駆動波形の例を示す説明図である。コントローラ２２がＦＬＭやＦＲを出力するタイミングは、図４と同様であるので省略した。また、図１３ではＦＲがハイレベルであり、正極性駆動を行う場合を例に説明する。
【０１２９】
コントローラ２２は、各選択期間の開始時（ＣＬ出力時）から所定期間Ｔｓの間、ＳＨＡＲＥ（１：０）を００ｂとし、その後の所定期間Ｔｓの間、ＳＨＡＲＥ（１：０）を０１ｂとして出力する。その後、コントローラ２２は、ＳＨＡＲＥ（１：０）を１０ｂとして出力する。さらに、ＳＨＡＲＥ（１：０）を１０ｂとしてから所定の期間Ｔ１が経過すると、コントローラ２２は、所定の期間Ｔｓの間、ＳＨＡＲＥ（１：０）を０１ｂとして出力する。続いて、ＳＨＡＲＥ（１：０）を０１ｂとしてから所定期間Ｔｓが経過すると、コントローラ２２はＳＨＡＲＥ（１：０）を００ｂとして出力する。ＳＨＡＲＥ（１：０）を００ｂとしてから所定期間Ｔｓが経過すると、ＣＬを出力して新たな選択期間の開始を指示する。図１３に示すように、コントローラ２２は、ＣＬ出力前の所定期間ＴｓからＣＬ出力後の所定期間Ｔｓまで００ｂを出力し続ける。なお、所定の期間Ｔ１は、選択期間Ｔｒから所定期間Ｔｓの４倍の期間を差し引いた期間である。
【０１３０】
コントローラ２２は、このようにＳＨＡＲＥ（１：０）を切り替えることによって、選択期間の最初の一定期間（所定期間Ｔｓの二倍の期間）の間に、選択行の走査電極を複数のコンデンサ（例えば、Ｖｒ用コンデンサ９２，９３）に順番に接続する。また、選択期間の最後の一定期間（所定期間Ｔｓの二倍の期間）の間に、選択行の走査電極を逆の順番で複数のコンデンサに接続する。
【０１３１】
走査電極ドライバ２は、ＦＬＭに続いて最初にＣＬが入力されると、第一行の走査電極を選択する。また、ＦＲに基づいて、正極性駆動とすべきか負極性駆動とすべきかを判断する。本例では、走査電極ドライバ２は、正極性駆動であると判断して、第一行のスイッチにより第一行の走査電極を第一の配線１４に接続する。また、非選択行に対応するスイッチにより非選択行の走査電極を第二の配線１５に接続する。このとき、非選択行の走査電極は第二の配線１５およびＶＭ配線２５を介して電圧ＶＭの出力端２８に接続される。そして、非選択行の走査電極の電位はＶＭに設定される。
【０１３２】
信号電極ドライバ３は、選択期間中、第一行の表示データに応じて各信号電極の電位をＶｃまたは−Ｖｃに設定する。ここでは、電位Ｖｃの信号電極の本数と電位−Ｖｃの信号電極の本数とが等しく、各信号電極の平均電位が一定になるものとする。
【０１３３】
コントローラ２２は、ＣＬを出力してから所定期間Ｔｓの間、ＳＨＡＲＥ（１：０）を００ｂにする。すると、電源回路９１のＶｒ用スイッチ３０はＶｒ配線２４と第一のＶｒ用コンデンサ９２とを接続する。従って、第一行の走査電極は第一の配線１４およびＶｒ配線２４を介して第一のＶｒ用コンデンサ９２に接続される。その結果、第一行の走査電極は、第一のＶｒ用コンデンサ９２のスイッチ側電極と等電位（Ｖｒ／３）となる。Ｃ０はＣｒに比べ十分に大きいので、走査電極に電荷を供給しても第一のＶｒ用コンデンサ９２のスイッチ側電極の電位はほとんど変化しない。
【０１３４】
所定期間Ｔｓの長さは、第一の実施の形態と同様に、少なくとも一本の走査電極の時定数（各走査電極の抵抗ＲとＣｒとの積）の１／２以上に設定する。
【０１３５】
コントローラ２２は、選択期間の開始から所定期間Ｔｓが経過すると、ＳＨＡＲＥ（１：０）を０１ｂにする。すると、電源回路９１のＶｒ用スイッチ３０はＶｒ配線２４と第二のＶｒ用コンデンサ９３とを接続する。その結果、第一行の走査電極は、第二のＶｒ用コンデンサ９３のスイッチ側電極と等電位（（２・Ｖｒ）／３）となる。Ｃ０はＣｒに比べ十分に大きいので、走査電極に電荷を供給しても第二のＶｒ用コンデンサ９３のスイッチ側電極の電位はほとんど変化しない。
【０１３６】
なお、−Ｖｒ用スイッチ３１は、ＳＨＡＲＥ（１：０）が００ｂである間、−Ｖｒ配線２６と第一の−Ｖｒ用コンデンサ９４とを接続し、ＳＨＡＲＥ（１：０）が０１ｂである間、−Ｖｒ配線２６と第二の−Ｖｒ用コンデンサ９５とを接続する。しかし、走査電極ドライバ２は正極性駆動時に各走査電極を第三の配線１６に接続しない。従って、正極性駆動時において、第一の−Ｖｒ用コンデンサ９４および第二の−Ｖｒ用コンデンサ９５が−Ｖｒ配線を介して走査電極との間で電荷を授受することはない。
【０１３７】
コントローラ２２は、ＳＨＡＲＥ（１：０）を０１ｂに切り替えてから所定期間Ｔｓが経過すると、ＳＨＡＲＥ（１：０）を１０ｂにする。すると、Ｖｒ用スイッチ３０はＶｒ配線２４と電圧Ｖｒの出力端２７とを接続する。従って、第一行の走査電極は第一の配線１４およびＶｒ配線２４を介して電圧Ｖｒの出力端２７に接続され、第一行の走査電極の電位はＶｒになる。
【０１３８】
コントローラ２２は、ＳＨＡＲＥ（１：０）を１０ｂに切り替えてから所定の期間Ｔ１が経過すると、ＳＨＡＲＥ（１：０）を０１ｂに切り替える。ＳＨＡＲＥ（１：０）が０１ｂになると、Ｖｒ用スイッチ３０は再びＶｒ配線２４と第二のＶｒ用コンデンサ９３とを接続する。このとき、第一行の走査電極から第二のＶｒ用コンデンサ９３に電荷が移動し、第一行の走査電極の電位は（２・Ｖｒ）／３となる。なお、走査電極から電荷が移動しても第二のＶｒ用コンデンサ９３のスイッチ側電極の電位はほとんど変化しない。
【０１３９】
コントローラ２２は、ＳＨＡＲＥ（１：０）を０１ｂに切り替えてから所定期間Ｔｓが経過すると、ＳＨＡＲＥ（１：０）を００ｂに切り替える。ＳＨＡＲＥ（１：０）が００ｂになると、Ｖｒ用スイッチ３０はＶｒ配線２４と第一のＶｒ用コンデンサ９２とを接続する。このとき、第一行の走査電極から第一のＶｒ用コンデンサ９２に電荷が移動し、第一行の走査電極の電位はＶｒ／３となる。なお、走査電極から電荷が移動しても第一のＶｒ用コンデンサ９２のスイッチ側電極の電位はほとんど変化しない。
【０１４０】
コントローラ２２は、ＳＨＡＲＥ（１：０）を００ｂに切り替えてから所定期間Ｔｓが経過すると、ＣＬを出力する。走査電極ドライバ２は、このＣＬが入力されると、第二行のスイッチにより第二行の走査電極を第一の配線１４に接続する。また、他の各スイッチにより他の走査電極を第二の配線１５に接続する。この結果、第一行の走査電極は、第二の配線１５およびＶＭ配線２５を介して電圧ＶＭの出力端２８に接続される。そして、第一行の走査電極の電位はＶｒ／３からＶＭに変化する。
【０１４１】
また、第二行以降を選択する場合も、コントローラ２２および電源回路９１は第一行選択時と同様の動作を繰り返す。すなわち、各選択期間の最初に、選択行の走査電極に対して、第一のＶｒ用コンデンサ９２と第二のＶｒ用コンデンサ９３から順番に電荷を供給する。そして、各選択期間の最後では、選択行の走査電極から、第二のＶｒ用コンデンサ９３と第一のＶｒ用コンデンサ９２に順番に電荷を移動する。
【０１４２】
このような駆動方法によれば、新たに選択された走査電極は、まず第一のＶｒ用コンデンサ９２に接続され、選択行の電位はＶＭからＶｒ／３に変化する。続いて、第二のＶｒ用コンデンサ９２に接続され、選択行の電位はＶｒ／３から（２・Ｖｒ）／３に変化する。選択行の電位がＶＭから（２・Ｖｒ）／３になるまでの間、電圧Ｖｒの出力端２７は電荷を供給しない。続いて、選択行の走査電極が電圧Ｖｒの出力端２７に接続されると、電源回路９１は電圧Ｖｒの出力端２７からＣｒ・Ｖｒ／３の電荷を供給し、選択行の走査電極の電位はＶｒになる。このように電位（２・Ｖｒ）／３の選択行にＣｒ・Ｖｒ／３の電荷を供給して電位をＶｒにすればよく、選択行の電位がＶＭであるときにＣｒ・Ｖｒの電荷を供給して選択行の電位をＶｒにする必要はない。従って、電圧Ｖｒの出力端２７から供給すべき電荷は減少する。
【０１４３】
また、選択期間の最後において、選択行の走査電極はまず第二のＶｒ用コンデンサ９３に接続され、選択行の走査電極の電位はＶｒから（２・Ｖｒ）／３に変化する。続いて、第一のＶｒ用コンデンサ９２に接続され、選択行の走査電極の電位は（２・Ｖｒ）／３からＶｒ／３に変化する。選択行の電位がＶｒからＶｒ／３になるまでの間、選択行から電圧ＶＭの出力端２８に電荷を放出することはない。この走査電極は、次の選択期間の開始時に電圧ＶＭの出力端２８に接続され、Ｃｒ・Ｖｒ／３の電荷を放出する。そして、その走査電極の電位はＶＭに変化する。このように電位Ｖｒ／３の選択行からＣｒ・Ｖｒ／３の電荷を放出して電位をＶＭにすればよく、選択行の電位がＶｒであるときにＣｒ・Ｖｒの電荷を放出して選択行の電位をＶＭにする必要はない。従って、電圧ＶＭの出力端２８に放出する電荷は減少する。
【０１４４】
ここでは、正極性駆動時を例に説明した。負極性駆動時における動作は、第一の−Ｖｒ用コンデンサ９４および第二の−Ｖｒ用コンデンサ９５と走査電極との間で電荷が移動する点以外は、正極性駆動時と同様である。すなわち、選択期間の最初の所定期間Ｔｓで、第一の−Ｖｒ用コンデンサ９４が選択行の走査電極に電荷を供給し、選択行の電位を−Ｖｒ／３にする。続く所定期間Ｔｓでは、第二の−Ｖｒ用コンデンサ９５が選択行の走査電極に電荷を供給し、選択行の電位を−（２・Ｖｒ）／３にする。その後、−Ｖｒ電圧の出力端２９から選択行の走査電極に電荷を供給し、選択行の電位を−Ｖｒにする。その後の所定期間Ｔｓでは、選択行の走査電極から第二の−Ｖｒ用コンデンサ９５に電荷を移動させ、選択行の電位を−（２・Ｖｒ）／３にする。続く所定期間Ｔｓで、選択行の走査電極から第一の−Ｖｒ用コンデンサ９４に電荷を移動させ、選択行の電位を−Ｖｒ／３にする。選択期間が切り替わると、それまで選択していた走査電極から電圧ＶＭの出力端２８に電荷を移動させ、電位を−Ｖｒ／３からＶＭに変化させる。
【０１４５】
第三の実施の形態の駆動方法によれば、選択期間Ｔｒの最後に、選択している走査電極から複数のコンデンサに電荷を段階的に移動させる。そして、次に選択する走査電極に複数のコンデンサから電荷を段階的に供給する。従って、選択行切替時に、それまで選択していた走査電極から電圧ＶＭの出力端２８に放出する電荷量や、電圧Ｖｒの出力端２７から次に選択する走査電極に供給する電荷量を減少させることができる。また、供給すべき電荷量や放出される電荷量は、正極性駆動から負極性駆動に切り替えるときだけでなく、各選択期間において少なくて済む。従って、液晶表示装置を駆動する際の消費電力を低減することができる。また、非選択行の電位はＶＭに保たれるので、非選択行の電位が変化して表示品位が低下することもない。
【０１４６】
次に、第一のＶｒ用コンデンサ９２、第二のＶｒ用コンデンサ９３、第一の−Ｖｒ用コンデンサ９４および第二の−Ｖｒ用コンデンサ９５のスイッチ側電極の電位の収束値について説明する。ここでは、正極性駆動時に用いられる第一のＶｒ用コンデンサ９２および第二のＶｒ用コンデンサ９３を例に説明する。ＳＨＡＲＥ（１：０）が１０ｂとなっている期間中におけるある時点で、第一のＶｒ用コンデンサ９２のスイッチ側電極の電位がＶａであるとする。また、第二のＶｒ用コンデンサ９３のスイッチ側電極の電位がＶｂであるとする。
【０１４７】
第一のＶｒ用コンデンサ９２に着目すると、第一のＶｒ用コンデンサ９２は、電位ＶＭの走査電極に電荷を供給し、電位Ｖｂである走査電極から電荷を受け取るという過程を繰り返す。従って、第一のＶｒ用コンデンサ９２のスイッチ側電極の電位Ｖａは、Ｖｂ／２で安定する。この収束値Ｖｂ／２は、第一の実施の形態におけるＶｒ用コンデンサの収束値を求める計算と同様の計算によって導くことができる。
【０１４８】
同様に、第二のＶｒ用コンデンサ９３に着目すると、第二のＶｒ用コンデンサ９３は、電位Ｖａの走査電極に電荷を供給し、電位Ｖｒである走査電極から電荷を受け取るという過程を繰り返す。従って、第二のＶｒ用コンデンサ９３のスイッチ側電極Ｖｂは、（Ｖａ＋Ｖｒ）／２で安定する。
【０１４９】
このように、ＶｂはＶａとＶｒの中間電位であり、ＶａはＶｂとＶＭ（＝０Ｖ）の中間電位である。従って、以下の式８の関係が成立する。
【０１５０】
Ｖｒ−Ｖｂ＝Ｖｂ−Ｖａ＝Ｖｂ／２　（式８）
【０１５１】
式８をＶａ，Ｖｂについて解くと、Ｖａ＝Ｖｒ／３、Ｖｂ＝２・Ｖｒ／３となる。
【０１５２】
第一の−Ｖｒ用コンデンサ９４および第二の−Ｖｒ用コンデンサ９５のスイッチ側電極の電位も同様に、それぞれ−Ｖｒ／３、−（２・Ｖｒ）／３と導くことができる。
【０１５３】
次に、ＭＬＡを採用する場合について説明する。ＭＬＡを採用する場合、液晶表示装置の駆動装置は図５と同様のブロック図で表される。ただし、電源回路としては、図１２に示す電源回路９１を用いる。
【０１５４】
走査電極ドライバ４２は、ＣＬが入力されると、ＦＲおよびＲＯＷ（１：０）に基づいて、選択するサブグループの各走査電極の電位を決定する。ここでは、サブグループ内の第一行および第三行の走査電極をＶｒとし、第二行および第四行の走査電極を−Ｖｒにする場合を例に説明する。走査電極ドライバ４２は、選択しないサブグループの走査電極を第二の配線１５に接続し、その走査電極の電位をＶＭにする。また、電極ドライバ４２は、選択するサブグループの第一行および第三行に対応するスイッチにより、第一行および第三行の走査電極を第一の配線１４に接続する。また、そのサブグループの第二行および第四行に対応するスイッチにより、第二行および第四行の走査電極を第三の配線１６に接続する。
【０１５５】
コントローラ４１は、ＣＬを出力してから所定期間Ｔｓの間、ＳＨＡＲＥ（１：０）を００ｂにする。すると、電源回路９１のＶｒ用スイッチ３０は、Ｖｒ配線２４と第一のＶｒ用コンデンサ９２とを接続する。−Ｖｒ用スイッチ３１は、−Ｖｒ配線２６と第一の−Ｖｒ用コンデンサ９４とを接続する。その結果、選択したサブグループの第一行および第三行の走査電極の電位はＶＭからＶｒ／３に変化する。また、第二行および第四行の走査電極の電位はＶＭから−Ｖｒ／３に変化する。
【０１５６】
コントローラ４１は、選択期間の開始から所定期間Ｔｓが経過すると、ＳＨＡＲＥ（１：０）を０１ｂにする。すると、Ｖｒ用スイッチ３０は、Ｖｒ配線２４と第二のＶｒ用コンデンサ９３とを接続する。−Ｖｒ用スイッチ３１は、−Ｖｒ配線２６と第二の−Ｖｒ用コンデンサ９５とを接続する。その結果、選択したサブグループの第一行および第三行の走査電極の電位はＶｒ／３から（２・Ｖｒ）／３に変化する。また、第二行および第四行の走査電極の電位は−Ｖｒ／３から−（２・Ｖｒ）／３に変化する。
【０１５７】
コントローラ４１は、ＳＨＡＲＥ（１：０）を０１ｂに切り替えてから所定期間Ｔｓが経過すると、ＳＨＡＲＥ（１：０）を１０ｂにする。すると、Ｖｒ用スイッチ３０は、Ｖｒ配線２４と電圧Ｖｒの出力端２７とを接続する。−Ｖｒ用スイッチ３１は、−Ｖｒ配線２６と電圧−Ｖｒの出力端２９とを接続する。その結果、選択したサブグループの第一行および第三行の走査電極の電位は（２・Ｖｒ）／３からＶｒに変化する。また、第二行および第四行の走査電極の電位は−（２・Ｖｒ）／３から−Ｖｒに変化する。
【０１５８】
コントローラ４１は、ＳＨＡＲＥ（１：０）を１０ｂに切り替えてから所定の期間Ｔ１が経過すると、ＳＨＡＲＥ（１：０）を０１ｂに切り替える。すると、Ｖｒ用スイッチ３０は、Ｖｒ配線２４と第二のＶｒ用コンデンサ９３とを接続する。−Ｖｒ用スイッチ３１は、−Ｖｒ配線２６と第二の−Ｖｒ用コンデンサ９５とを接続する。その結果、選択したサブグループの第一行および第三行の走査電極の電位はＶｒから（２・Ｖｒ）／３に変化する。また、第二行および第四行の走査電極の電位は−Ｖｒから−（２・Ｖｒ）／３に変化する。
【０１５９】
コントローラ４１は、ＳＨＡＲＥ（１：０）を０１ｂに切り替えてから所定期間Ｔｓが経過すると、ＳＨＡＲＥ（１：０）を００ｂに切り替える。すると、Ｖｒ用スイッチ３０は、Ｖｒ配線２４と第一のＶｒ用コンデンサ９２とを接続する。−Ｖｒ用スイッチ３１は、−Ｖｒ配線２６と第一の−Ｖｒ用コンデンサ９４とを接続する。その結果、選択したサブグループの第一行および第三行の走査電極の電位は（２・Ｖｒ）／３からＶｒ／３に変化する。また、第二行および第四行の走査電極の電位は−（２・Ｖｒ）／３から−Ｖｒ／３に変化する。
【０１６０】
コントローラ４１は、ＳＨＡＲＥ（１：０）を００ｂに切り替えてから所定期間Ｔｓが経過すると、ＣＬを出力する。走査電極ドライバ２は、このＣＬが入力されると、それまで選択していたサブグループの走査電極を第二の配線１４に接続する。その結果、それまで選択していたサブグループの走査電極の電位はＶＭに変化する。
【０１６１】
このように、選択されたサブグループの各走査電極が電荷を受け取ったり、放出したりする状況は、ＡＰＴの場合と変わらない。従って、ＭＬＡを採用した場合でも、電圧Ｖｒの出力端２７や電圧−Ｖｒの出力端２９から走査電極に供給すべき電荷を減少することができる。また、走査電極から電圧ＶＭの出力端２８に放出する電荷も減少することができる。その結果、消費電力が低減する。また、選択されていないサブグループの電位はＶＭ以外の電位になることがないので、表示品位も維持することができる。
【０１６２】
上記の説明において、電圧Ｖｒの出力端２７が供給する電荷量や走査電極の電位等は、計算によって求めたものである。計算による確認だけではなく、実際に液晶表示装置を駆動することによって、電荷が有効に再利用されていることを確認した。以下、実施例を示す。
【０１６３】
［実施例４］実施例１と同じ液晶セルを第三の実施の形態による駆動方法で駆動した。この液晶セルにおいて一本の走査電極と各信号電極とが形成するコンデンサの静電容量Ｃｒは実施例１と同様に０．３４ｎＦである。一本の走査電極の時定数は１．４μｓと見積もられる。Ｖｒ用コンデンサおよび−Ｖｒ用コンデンサとして静電容量Ｃ０が１μＦ（Ｃｒの約３０００倍）であるコンデンサを設けた。また、ＡＰＴを採用し、デューティ比を１／１７６、フレーム周波数を６０Ｈｚとして駆動するようにした。また、ＳＨＡＲＥ（１：０）として００ｂや０１ｂを出力する所定期間Ｔｓを２．４μｓとした。このとき電圧Ｖｒの出力端からの電流は１４３μＡであった。
【０１６４】
［比較例２］ＳＨＡＲＥ（１：０）を常に１０ｂとした点以外は実施例４と同様に液晶表示装置を駆動した。このとき電圧Ｖｒの出力端からの電流は３２３μＡであり、実施例４の場合よりも増加した。
【０１６５】
［実施の形態４］次に、第四の実施の形態について説明する。第四の実施の形態では、ＩＡＰＴを採用する。第四の実施の形態における液晶表示装置の駆動装置は、第二の実施の形態と同様のブロック図（図７）で表される。また、走査電極ドライバの構成は図９と同様に表される。ただし、第四の実施の形態では、電源回路の構成が第二の実施の形態とは異なる。また、第四の実施の形態において、コントローラ２２は、第三の実施の形態と同様に、ＳＨＡＲＥ（１：０）として００ｂ、０１ｂまたは１０ｂのいずれかを出力する。ただし、正極性駆動時と負極性駆動時とでは、ＳＨＡＲＥ（１：０）を切り替える順序を変化させる。
【０１６６】
図１４は、第四の実施の形態における電源回路の例を示す説明図である。図８に示す電源回路５１と同様の構成部については図８と同じ符号で示し、説明を省略する。第四の実施の形態における電源回路１００は、複数のＳＨＡＲＥ用コンデンサを備える。図１４では、第一のＳＨＡＲＥ用コンデンサ１０１と、第二のＳＨＡＲＥ用コンデンサ１０２とを備える場合を例に説明する。
【０１６７】
Ｖ５用スイッチ７８とＶ０用スイッチ７９は、ＳＨＡＲＥ（１：０）に応じて、それぞれＶ５配線６５とＶ０配線６０の接続先を切り替える。以下、ＳＨＡＲＥ（１：０）が００ｂである場合、Ｖ５用スイッチ７８とＶ０用スイッチ７９は、配線の接続先をそれぞれ第一のＳＨＡＲＥ用コンデンサ１０１に切り替えるものとする。また、ＳＨＡＲＥ（１：０）が０１ｂである場合、配線の接続先をそれぞれ第二のＳＨＡＲＥ用コンデンサ１０２に切り替えるものとする。さらに、ＳＨＡＲＥ（１：０）が１０ｂである場合、配線の接続先をそれぞれ電圧Ｖ５の出力端７５と電圧Ｖ０の出力端７０に切り替えるものとする。
【０１６８】
第一のＳＨＡＲＥ用コンデンサ１０１および第二のＳＨＡＲＥ用コンデンサ１０２の静電容量Ｃ０は、一本の走査電極と各信号電極とが形成するコンデンサの静電容量Ｃｒの１０倍以上であることが好ましい。さらに好ましくは１００倍以上とする。Ｃ０がＣｒより十分に大きい場合、時間が経過すると各ＳＨＡＲＥ用コンデンサ１０１，１０２のスイッチ側電極の電位はほぼ一定の値に収束する。後述するように、第一のＳＨＡＲＥ用コンデンサ１０１および第二のＳＨＡＲＥ用コンデンサ１０２のスイッチ側電極の電位の収束値は、それぞれ（Ｖ５＋Ｖ１＋Ｖ４＋Ｖ０）／６と（Ｖ５＋Ｖ１＋Ｖ４＋Ｖ０）／３である。
【０１６９】
コントローラ２２は、正極性駆動時と負極性駆動時とで、ＳＨＡＲＥ（１：０）を切り替える順序を変化させる。正極性駆動を行う選択期間では、コントローラ２２は、各選択期間の開始時（ＣＬ出力時）から所定期間Ｔｓの間、ＳＨＡＲＥ（１：０）を００ｂとし、その後の所定期間Ｔｓの間、ＳＨＡＲＥ（１：０）を０１ｂとして出力する。その後、コントローラ２２は、ＳＨＡＲＥ（１：０）を１０ｂとして出力する。さらに、ＳＨＡＲＥ（１：０）を１０ｂとしてから所定の期間Ｔ１が経過すると、コントローラ２２は、所定の期間Ｔｓの間、ＳＨＡＲＥ（１：０）を０１ｂとして出力する。続いて、ＳＨＡＲＥ（１：０）を０１ｂとしてから所定期間Ｔｓが経過すると、コントローラ２２はＳＨＡＲＥ（１：０）を００ｂとして出力する。ＳＨＡＲＥ（１：０）を００ｂとしてから所定期間Ｔｓが経過すると、ＣＬを出力して新たな選択期間の開始を指示する。コントローラ２２は、ＣＬ出力前の所定期間ＴｓからＣＬ出力後の所定期間Ｔｓまで００ｂを出力し続ける。なお、所定の期間Ｔ１は、選択期間Ｔｒから所定期間Ｔｓの４倍の期間を差し引いた期間である。
【０１７０】
一方、負極性駆動を行う選択期間では、コントローラ２２は、各選択期間の開始時（ＣＬ出力時）から所定時間Ｔｓの間、ＳＨＡＲＥ（１：０）を０１ｂとし、その後の所定期間Ｔｓの間、ＳＨＡＲＥ（１：０）を００ｂとして出力する。その後、コントローラ２２は、ＳＨＡＲＥ（１：０）を１０ｂとして出力する。さらに、ＳＨＡＲＥ（１：０）を１０ｂとしてから所定の期間Ｔ１が経過すると、コントローラ２２は、所定の期間Ｔｓの間、ＳＨＡＲＥ（１：０）を００ｂとして出力する。続いて、ＳＨＡＲＥ（１：０）を００ｂとしてから所定期間Ｔｓが経過すると、コントローラ２２はＳＨＡＲＥ（１：０）を０１ｂとして出力する。ＳＨＡＲＥ（１：０）を０１ｂとしてから所定期間Ｔｓが経過すると、ＣＬを出力して新たな選択期間の開始を指示する。コントローラ２２は、ＣＬ出力前の所定期間ＴｓからＣＬ出力後の所定期間Ｔｓまで０１ｂを出力し続ける。
【０１７１】
コントローラ２２は、このようにＳＨＡＲＥ（１：０）を切り替えることによって、選択期間の最初の一定期間（所定期間Ｔｓの二倍の期間）の間に、選択行の走査電極を複数のコンデンサ（ＳＨＡＲＥ用コンデンサ１０１，１０２）に順番に接続する。また、選択期間の最後の一定期間（所定期間Ｔｓの二倍の期間）の間に、選択行の走査電極をその複数のコンデンサに逆の順番で接続する。
【０１７２】
図１５は、正極性駆動時にコントローラ２２がＣＬおよびＳＨＡＲＥ（１：０）を出力するタイミングと、その信号に応じた駆動波形の例を示す説明図である。コントローラ２２がＦＬＭやＦＲを出力するタイミングは、図１０と同様であるので省略した。
【０１７３】
走査電極ドライバ５２は、コントローラ２２からＣＬが入力されると、選択行を切り替える。また、ＣＬ入力時におけるＦＲによって引き続き正極性駆動を行うと判断する。そして、選択行のスイッチにより選択行の走査電極を第一の配線８５に接続し、非選択行のスイッチにより非選択行の走査電極を第三の配線８７に接続する。このとき、非選択行の走査電極は電圧Ｖ１の出力端７１に接続され、非選択行の走査電極の電位はＶ１に設定される。
【０１７４】
信号電極ドライバ３は、選択期間中、第一行の表示データに応じて各信号電極の電位をＶ０またはＶ２に設定する。ここでは、電位Ｖ０の信号電極の本数と電位Ｖ２の信号電極の本数とが等しく、各信号電極の平均電位が一定になるものとする。
【０１７５】
コントローラ２２は、ＣＬを出力してから所定期間Ｔｓの間、ＳＨＡＲＥ（１：０）を００ｂにする。すると、Ｖ５用スイッチ７８はＶ５配線６５と第一のＳＨＡＲＥ用コンデンサ１０１とを接続する。従って、選択行の走査電極は第一の配線８５およびＶ５配線６５を介して第一のＳＨＡＲＥ用コンデンサ１０１に接続される。その結果、選択行の走査電極は、第一のＳＨＡＲＥ用コンデンサ１０１のスイッチ側電極と等電位（（Ｖ５＋Ｖ１＋Ｖ４＋Ｖ０）／６）となる。
【０１７６】
所定期間Ｔｓの長さは、第一の実施の形態と同様に、少なくとも一本の走査電極の時定数（各走査電極の抵抗ＲとＣｒとの積）の１／２以上に設定する。
【０１７７】
コントローラ２２は、選択期間の開始から所定期間Ｔｓが経過すると、ＳＨＡＲＥ（１：０）を０１ｂにする。すると、Ｖ５用スイッチ７８はＶ５配線６５と第二のＳＨＡＲＥ用コンデンサ１０２とを接続する。その結果、選択行の走査電極は、第二のＳＨＡＲＥ用コンデンサ１０２のスイッチ側電極と等電位（（Ｖ５＋Ｖ１＋Ｖ４＋Ｖ０）／３）となる。
【０１７８】
なお、Ｖ０用スイッチ７９は、ＳＨＡＲＥ（１：０）が００ｂである間、Ｖ０配線６０と第一のＳＨＡＲＥ用コンデンサ１０１とを接続し、ＳＨＡＲＥ（１：０）が０１ｂである間、Ｖ０配線６０と第二のＳＨＡＲＥ用コンデンサ１０２とを接続する。しかし、走査電極ドライバ２は正極性駆動時に走査電極を第四の配線８８に接続しない。従って、正極性駆動時において、第一のＳＨＡＲＥ用コンデンサ１０１および第二のＳＨＡＲＥ用コンデンサ１０２がＶ０配線６０を介して走査電極との間で電荷を授受することはない。
【０１７９】
コントローラ２２は、ＳＨＡＲＥ（１：０）を０１ｂに切り替えてから所定期間Ｔｓが経過すると、ＳＨＡＲＥ（１：０）を１０ｂにする。すると、Ｖ５用スイッチ７８はＶ５配線６５と電圧Ｖ５の出力端７５とを接続する。従って、選択行の走査電極は第一の配線８５およびＶ５配線６５を介して電圧Ｖ５の出力端７５に接続され、選択行の走査電極の電位はＶ５になる。
【０１８０】
コントローラ２２は、ＳＨＡＲＥ（１：０）を１０ｂに切り替えてから所定の期間Ｔ１が経過すると、ＳＨＡＲＥ（１：０）を０１ｂに切り替える。ＳＨＡＲＥ（１：０）が０１ｂになると、Ｖ５用スイッチ７８は再びＶ５配線６５と第二のＳＨＡＲＥ用コンデンサ１０２とを接続する。このとき、選択行の走査電極から第二のＳＨＡＲＥ用コンデンサ１０２に電荷が移動し、選択行の走査電極の電位は（Ｖ５＋Ｖ１＋Ｖ４＋Ｖ０）／３となる。
【０１８１】
コントローラ２２は、ＳＨＡＲＥ（１：０）を０１ｂに切り替えてから所定期間Ｔｓが経過すると、ＳＨＡＲＥ（１：０）を００ｂに切り替える。ＳＨＡＲＥ（１：０）が００ｂになると、Ｖ５用スイッチ７８はＶ５配線６５と第一のＳＨＡＲＥ用コンデンサ１０１とを接続する。このとき、選択行の走査電極から第一のＳＨＡＲＥ用コンデンサ１０１に電荷が移動し、選択行の走査電極の電位は（Ｖ５＋Ｖ１＋Ｖ４＋Ｖ０）／６となる。
【０１８２】
コントローラ２２は、ＳＨＡＲＥ（１：０）を００ｂに切り替えてから所定期間Ｔｓが経過すると、ＣＬを出力する。走査電極ドライバ５２は、このＣＬが入力されると、新たに選択する走査電極を第一の配線８５に接続し、他の走査電極を第三の配線８７に接続する。この結果、それまで選択していた走査電極は電圧Ｖ１の出力端７１に接続され、その走査電極の電位は（Ｖ５＋Ｖ１＋Ｖ４＋Ｖ０）／６からＶ１に変化する。
【０１８３】
また、他の行を選択する場合にも、コントローラ２２および電源回路１００は同様の動作を繰り返す。すなわち、各選択期間の最初に、選択行の走査電極に対して、第一のＳＨＡＲＥ用コンデンサ１０１と第二のＳＨＡＲＥ用コンデンサ１０２から順番に電荷を供給する。そして、各選択期間の最後では、選択行の走査電極から、第二のＳＨＡＲＥ用コンデンサ１０２と第一のＳＨＡＲＥ用コンデンサ１０１に順番に電荷を移動する。
【０１８４】
このような駆動方法によれば、新たに選択された走査電極は、まず第一のＳＨＡＲＥ用コンデンサ１０１に接続され、選択行の走査電極の電位はＶ１から（Ｖ５＋Ｖ１＋Ｖ４＋Ｖ０）／６に変化する。続いて、第二のＳＨＡＲＥ用コンデンサ１０２に接続され、選択行の走査電極の電位は（Ｖ５＋Ｖ１＋Ｖ４＋Ｖ０）／６から（Ｖ５＋Ｖ１＋Ｖ４＋Ｖ０）／３に変化する。選択行の走査電極の電位がＶ１から（Ｖ５＋Ｖ１＋Ｖ４＋Ｖ０）／３に変化するまでの間、電圧Ｖ５の出力端７５から電荷は供給されない。次に、選択行の走査電極がＶ５配線６５等を介して電圧Ｖ５の出力端７５に接続されると、電源回路１００は電圧Ｖ５の出力端７５からＣｒ・（２・Ｖ５−Ｖ４−Ｖ１−Ｖ０）／３の電荷を供給し、選択行の走査電極の電位はＶ５になる。このように、選択行の電位をＶ０からＶ５まで上昇させるのではなく、（Ｖ５＋Ｖ１＋Ｖ４＋Ｖ０）／３からＶ５まで上昇させればよいので、電圧Ｖ５の出力端７５から供給すべき電荷は減少する。
【０１８５】
また、選択行の電位をＶ１に下降させる場合、選択行の走査電極は、まず第二のＳＨＡＲＥ用コンデンサ１０２に接続され、選択行の走査電極の電位はＶ５から（Ｖ５＋Ｖ１＋Ｖ４＋Ｖ０）／３に変化する。続いて、第一のＳＨＡＲＥ用コンデンサ１０１に接続され、選択行の走査電極の電位は（Ｖ５＋Ｖ１＋Ｖ４＋Ｖ０）／３から（Ｖ５＋Ｖ１＋Ｖ４＋Ｖ０）／６に変化する。選択行の走査電極の電位がＶ５から（Ｖ５＋Ｖ１＋Ｖ４＋Ｖ０）／６に変化するまでの間、走査電極から電圧Ｖ１の出力端７１に電荷は放出されない。この走査電極は、次の選択期間の開始時にＶ１配線６１等を介して電圧Ｖ１の出力端７１に接続される。すると、この走査電極は、電圧Ｖ１の出力端７１にＣｒ・（Ｖ５＋Ｖ４−５・Ｖ１＋Ｖ０）／６の電荷を放出して、走査電極の電位はＶ１に変化する。このように、電圧Ｖ１の出力端７１は、走査電極の電位をＶ５からＶ１に下降させるのではなく、（Ｖ５＋Ｖ１＋Ｖ４＋Ｖ０）／６からＶ１まで下降させればよい。従って、電圧Ｖ１の出力端７１に放出される電荷は減少する。
【０１８６】
ここでは、正極性駆動時を例に説明した。負極性駆動の場合であっても、電源回路１００は正極性駆動時と同様に動作する。図１６は、負極性駆動時にコントローラ２２がＣＬおよびＳＨＡＲＥ（１：０）を出力するタイミングと、その信号に応じた駆動波形の例を示す説明図である。
【０１８７】
負極性駆動の場合、コントローラ２２は、選択期間の最初の所定期間Ｔｓにおいて、ＳＨＡＲＥ（１：０）を０１ｂとする。このとき、選択行の走査電極は、Ｖ０配線６０等を介して第二のＳＨＡＲＥ用コンデンサ１０２に接続される。すると、選択行の走査電極から第二のＳＨＡＲＥ用コンデンサ１０２に電荷が移動し、選択行の電位はＶ４から（Ｖ５＋Ｖ１＋Ｖ４＋Ｖ０）／３に変化する。ＳＨＡＲＥ（１：０）が００ｂになると、選択行の走査電極は、第一のＳＨＡＲＥ用コンデンサ１０１に接続される。すると、選択行の走査電極から第一のＳＨＡＲＥ用コンデンサ１０１に電荷が移動し、選択行の電位は（Ｖ５＋Ｖ１＋Ｖ４＋Ｖ０）／３から（Ｖ５＋Ｖ１＋Ｖ４＋Ｖ０）／６に変化する。続いてＳＨＡＲＥ（１：０）が１０ｂになると、選択行の走査電極は、Ｖ０配線６０等を介して電圧Ｖ０の出力端に接続され電荷を放出する。そして、選択行の走査電極の電位はＶ０になる。
【０１８８】
ＳＨＡＲＥ（１：０）が再び００ｂになると、選択行の走査電極は第一のＳＨＡＲＥ用コンデンサ１０１に接続され、選択行の走査電極の電位は（Ｖ５＋Ｖ１＋Ｖ４＋Ｖ０）／６になる。続いてＳＨＡＲＥ（１：０）が０１ｂになると、選択行の走査電極は第二のＳＨＡＲＥ用コンデンサ１０２に接続され、選択行の走査電極の電位は（Ｖ５＋Ｖ１＋Ｖ４＋Ｖ０）／３になる。次のＣＬが出力され選択行が切り替えられると、それまで選択されていた行はＶ４配線６４等を介して電圧Ｖ４の出力端７４に接続される。このとき電圧Ｖ４の出力端７４は、それまで選択されていた走査電極に電荷を供給し、走査電極の電位を（Ｖ５＋Ｖ１＋Ｖ４＋Ｖ０）／３からＶ４に上昇させる。
【０１８９】
また、正極性駆動と負極性駆動とを切り替えるタイミングにおいても、ＳＨＡＲＥ用コンデンサ１０１，１０２の電荷を利用することができる。例えば、第二の実施の形態と同様に、電圧Ｖ５の出力端７５は、負極性駆動から正極性駆動に切り替えるタイミングで、第一行の走査電極と各信号電極の電位差が０Ｖの状態から電荷を供給する必要はない。電圧Ｖ５の出力端７５は、第一のＳＨＡＲＥ用コンデンサ１０１および第二のＳＨＡＲＥ用コンデンサ１０２によって第一行の走査電極の電位が各信号電極の電位よりも高くなってから電荷を供給すればよい。従って、供給すべき電荷は少なくて済む。
【０１９０】
第四の実施の形態の駆動方法によれば、選択期間Ｔｒの最後に、選択行と複数のコンデンサとの間で電荷を段階的に移動させる。そして、次に選択する走査電極と複数のコンデンサとの間で電荷を段階的に逆方向に移動させる。よって、選択行切替時に、各電圧の出力端に放出する電荷量や、各電圧の出力端から供給する電荷量を減少させることができる。従って、液晶表示装置を駆動する際の消費電力を低減することができる。また、正極性駆動と負極性駆動とを切り替えるときだけでなく、各選択期間において消費電力を低減できる。また、非選択行の電位はＶ１またはＶ４に保たれるので、非選択行の電位が変化して表示品位が低下することもない。
【０１９１】
次に、第一のＳＨＡＲＥ用コンデンサ１０１および第二のＳＨＡＲＥ用コンデンサ１０２のスイッチ側電極の電位の収束値について説明する。負極性駆動に切り替えずに、正極性駆動のみによって駆動したと仮定する。この場合、第一のＳＨＡＲＥ用コンデンサ１０１および第二のＳＨＡＲＥ用コンデンサ１０２のスイッチ側電極の電位は、それぞれ（Ｖ５＋Ｖ１）／３、２・（Ｖ５＋Ｖ１）／３となる。この収束値は、第三の実施の形態で示した収束値と同様の方法で導くことができる。また、負極性駆動のみによって駆動したと仮定する。第一のＳＨＡＲＥ用コンデンサ１０１および第二のＳＨＡＲＥ用コンデンサ１０２のスイッチ側電極の電位は、同様の計算によって、それぞれ（Ｖ４＋Ｖ０）／３、２・（Ｖ４＋Ｖ０）／３となる。
【０１９２】
各ＳＨＡＲＥ用コンデンサ１０１，１０２の静電容量Ｃ０が小さければ、正極性駆動と負極性駆動とを一定周期で切り替える場合に、ＳＨＡＲＥ用コンデンサの電位は安定しないことになる。しかし、本発明では、Ｃ０はＣｒに比べて十分に大きくする。この場合、第一のＳＨＡＲＥ用コンデンサ１０１のスイッチ側電極の電位は、（Ｖ５＋Ｖ１）／３と、（Ｖ４＋Ｖ０）／３との平均値に収束する。また、第二のＳＨＡＲＥ用コンデンサ１０２のスイッチ側電極の電位は、２・（Ｖ５＋Ｖ１）／３と、２・（Ｖ４＋Ｖ０）／３との平均値に収束する。従って、第一のＳＨＡＲＥ用コンデンサ１０１および第二のＳＨＡＲＥ用コンデンサ１０２のスイッチ側電極の電位は、それぞれ（Ｖ５＋Ｖ１＋Ｖ４＋Ｖ０）／６、（Ｖ５＋Ｖ１＋Ｖ４＋Ｖ０）／３に収束する。
【０１９３】
また、図１４では、電源回路１００が二つのＳＨＡＲＥ用コンデンサ１０１，１０２を備える場合を示した。電源回路１００は、正極性駆動時に用いる複数のＳＨＡＲＥ用コンデンサの組み合わせと、負極性駆動時に用いる複数のＳＨＡＲＥ用コンデンサの組み合わせとを別個に備えていてもよい。
【０１９４】
なお、第四の実施の形態の説明において、電圧Ｖ５の出力端７５が供給する電荷量や走査電極の電位等は、計算によって求めたものである。
【０１９５】
また、第三の実施の形態と第四の実施の形態では、選択行の電位を変化させるときに、二つのコンデンサを用いて段階的に変化させる場合を示した。選択行の電位を段階的に変化させるためのコンデンサの数は、三個以上であってもよい。例えば、第三の実施の形態では、図１２に示すＶｒ用スイッチ３０と−Ｖｒ用スイッチ３１にそれぞれ三個以上のコンデンサを対応させてもよい。また、例えば、第四の実施の形態では、ＳＨＡＲＥ用コンデンサを三個以上設けてもよい。この場合、コンデンサの数に応じてスイッチの切替先が増える。ＳＨＡＲＥのビット数は、スイッチの切替先の数を表すことができるビット数として定めればよい。
【０１９６】
各実施の形態で使用する走査電極ドライバおよび信号電極ドライバは、ＩＣによって実現してもよい。走査電極ドライバおよび信号電極ドライバをＩＣによって実現するか否かは、静電容量Ｃ０や所定期間Ｔｓの定め方に影響しない。すなわち、ＩＣを用いたとしても、コンデンサの静電容量Ｃ０はＣｒの１０倍以上とすることが好ましく、さらには１００倍以上とすることが好ましい。また、所定期間Ｔｓは、一本の走査電極の時定数の１／２以上とする。
【０１９７】
【発明の効果】
本発明によれば、正極性駆動を維持したり負極性駆動を維持する間であっても、選択行を切り替えるときに供給すべき電荷や放出される電荷を減少させることができる。また、選択していない走査電極の電位が非選択時電位以外の電位になることがない。従って、表示品位を低下させずに電荷の再利用効率を高め、消費電力をより低減できる。
【図面の簡単な説明】
【図１】ＡＰＴを採用する駆動装置の例を示すブロック図。
【図２】電源回路の例を示す説明図。
【図３】走査電極ドライバの構成例を示す説明図。
【図４】信号出力タイミングおよび駆動波形の例を示す説明図。
【図５】ＭＬＡを採用する駆動装置の例を示すブロック図。
【図６】選択行列の例を示す説明図。
【図７】ＩＡＰＴを採用する駆動装置の例を示すブロック図。
【図８】電源回路の例を示す説明図。
【図９】走査電極ドライバの構成例を示す説明図。
【図１０】信号出力タイミングおよび駆動波形の例を示す説明図。
【図１１】電源回路の例を示す説明図。
【図１２】電源回路の例を示す説明図。
【図１３】信号出力タイミングおよび駆動波形の例を示す説明図。
【図１４】電源回路の例を示す説明図。
【図１５】信号出力タイミングおよび駆動波形の例を示す説明図。
【図１６】信号出力タイミングおよび駆動波形の例を示す説明図。
【図１７】従来の駆動波形の例を示す説明図。
【符号の説明】
１　液晶セル
２　走査電極ドライバ
３　信号電極ドライバ
２２　コントローラ
２３　電源回路
２４　Ｖｒ配線
２５　ＶＭ配線
２６　−Ｖｒ配線
３０　Ｖｒ用スイッチ
３１　−Ｖｒ用スイッチ
３２　Ｖｒ用コンデンサ
３３　−Ｖｒ用コンデンサ
【図１】
2004061972.tif 000003
【図２】
2004061972.tif 000004
【図３】
2004061972.tif 000005
【図４】
2004061972.tif 000006
【図５】
2004061972.tif 000007
【図６】
2004061972.tif 000008
【図７】
2004061972.tif 000009
【図８】
2004061972.tif 000010
【図９】
2004061972.tif 000011
【図１０】
2004061972.tif 000012
【図１１】
2004061972.tif 000013
【図１２】
2004061972.tif 000014
【図１３】
2004061972.tif 000015
【図１４】
2004061972.tif 000016
【図１５】
2004061972.tif 000017
【図１６】
2004061972.tif 000018
【図１７】
2004061972.tif 000019